(57)【要約】利便性または信頼性に優れた新規な表示パネルを提供する。また、新規な表示装置を提供する。表示領域と、第１の端子領域と、第２の端子領域と、を有する表示パネルであって、第１の端子領域は表示領域を遮らないように配置され、表示領域と重なる領域を備える。第１の端子領域は第１の一群の端子を備え、第１の一群の端子は第１の端子を含む。第２の端子領域は第２の一群の端子を備え、第２の一群の端子は第２の端子を含む。表示領域は、一群の画素、他の一群の画素、走査線および信号線を備える。一群の画素は画素を含み、行方向に配設される。他の一群の画素は画素を含み、行方向と交差する列方向に配設される。走査線は一群の画素と電気的に接続される。また、信号線は他の一群の画素と電気的に接続され、信号線は第１の端子および第２の端子と電気的に接続される。
2019021147.tif 000002
【特許請求の範囲】
【請求項１】
表示領域と、
第１の端子領域と、
第２の端子領域と、を有し、
前記第１の端子領域は、前記表示領域を遮らないように配置され、
前記第１の端子領域は、前記表示領域と重なる領域を備え、
前記第１の端子領域は、第１の一群の端子を備え、
前記第１の一群の端子は、第１の端子を含み、
前記第２の端子領域は、第２の一群の端子を備え、
前記第２の一群の端子は、第２の端子を含み、
前記表示領域は、一群の画素、他の一群の画素、走査線および信号線を備え、
前記一群の画素は、画素を含み、
前記一群の画素は、行方向に配設され、
前記他の一群の画素は、前記画素を含み、
前記他の一群の画素は、行方向と交差する列方向に配設され、
前記走査線は、一群の画素と電気的に接続され、
前記信号線は、他の一群の画素と電気的に接続され、
前記信号線は、前記第１の端子および前記第２の端子と電気的に接続される、表示パネル。
【請求項２】
前記信号線は、第１の領域乃至第３の領域を備え、
前記第３の領域は、前記第１の領域および前記第２の領域に挟まれる領域を備え、
前記信号線は、前記第１の領域において、前記第１の端子と電気的に接続され、
前記信号線は、前記第２の領域において、前記第２の端子と電気的に接続され
前記信号線は、前記第３の領域において、前記画素と電気的に接続される、請求項１に記載の表示パネル。
【請求項３】
第１の駆動回路と、
第２の駆動回路と、を有し、
前記第１の駆動回路は、前記走査線と電気的に接続され、
前記第１の駆動回路は、選択信号を供給する機能を備え、
前記第２の駆動回路は、前記第２の端子と電気的に接続され、
前記第２の駆動回路は、画像信号を供給する機能を備える、請求項１に記載の表示パネル。
【請求項４】
一群の表示パネルと、
他の一群の表示パネルと、を有し、
前記一群の表示パネルは、行方向に配設され、
前記一群の表示パネルは、請求項１に記載の表示パネルを含み、
前記他の一群の表示パネルは、前記行方向と交差する列方向に配設され、
前記他の一群の表示パネルは、前記表示パネルおよび他の表示パネルを含み、
前記他の表示パネルは、第３の端子領域および他の表示領域を備え、
前記第３の端子領域は、前記他の表示領域の外側に設けられ、
前記第３の端子領域は、前記第１の端子領域と重なる領域を備え、
前記第３の端子領域は、第３の一群の端子を備え、
前記第３の一群の端子は、第３の端子を備え、
前記第３の端子は、前記第１の端子と電気的に接続され、
前記他の表示領域は、前記表示領域の表示を視認できる方向から、表示を視認できるように配置される、表示装置。
【請求項５】
前記他の表示パネルは、第４の端子領域を備え、
前記第４の端子領域は、前記他の表示領域を遮らないように配置され、
前記第４の端子領域は、前記他の表示領域と重なる領域を備え、
前記第４の端子領域は、第４の一群の端子を備え、
前記第４の一群の端子は、第４の端子を含み、
前記他の表示領域は、他の画素および他の信号線を備え、
前記他の信号線は、前記他の画素、前記第３の端子および前記第４の端子と電気的に接続される、請求項４に記載の表示装置。
【請求項６】
制御部を有し、
前記制御部は、画像情報および制御情報を供給され、
前記制御部は、前記画像情報に基づいて情報を生成し、
前記制御部は、前記制御情報に基づいて第１の制御信号を生成し、
前記制御部は、前記情報および第１の制御信号を供給し、
前記第１の駆動回路は、前記第１の制御信号に基づいて、前記選択信号および第２の制御信号を生成し、
前記第１の駆動回路は、前記選択信号および前記第２の制御信号を供給し、
前記第２の駆動回路は、前記情報に基づいて、画像信号を供給し、
前記第１の端子領域は、第５の端子を備え、
前記第５の端子は、前記第１の駆動回路と電気的に接続され、
前記第５の端子は、前記第２の制御信号を供給され、
前記第２の端子領域は、第６の端子を備え、
前記第６の端子は、前記第５の端子と電気的に接続され、
前記他の表示パネルは、第３の駆動回路および他の走査線を備え、
前記第３の駆動回路は、前記第６の端子および他の走査線と電気的に接続され、
前記第３の駆動回路は、前記第２の制御信号に基づいて、他の選択信号を生成し、供給し、
前記他の画素は、前記他の走査線および前記他の信号線と電気的に接続され、
前記他の画素は、前記情報および前記他の選択信号を供給される、請求項４に記載の表示装置。
【請求項７】
入力部と、表示部と、を有し、
前記表示部は、請求項１に記載の表示パネルを備え、
前記入力部は、検知領域を備え、
前記入力部は、前記検知領域に近接するものを検知し、
前記検知領域は、前記画素と重なる領域を備える入出力装置。
【請求項８】
演算装置と、入出力装置と、を有し、
前記演算装置は、入力情報または検知情報を供給され、
前記演算装置は、制御情報および画像情報を供給し、
前記入出力装置は、前記入力情報および前記検知情報を供給し、
前記入出力装置は、前記制御情報および前記画像情報を供給され、
前記入出力装置は、表示部、入力部および検知部を備え、
前記表示部は、請求項１に記載の表示パネルを備え、
前記表示部は、前記制御情報に基づいて、前記画像情報を表示し、
前記入力部は、前記入力情報を生成し、
前記検知部は、前記検知情報を生成する、情報処理装置。
【請求項９】
前記演算装置は、人工知能部を備え、
前記人工知能部は、前記入力情報または前記検知情報を供給され、
前記人工知能部は、前記制御情報を供給し、
前記人工知能部は、半導体装置を有し、
前記半導体装置は、前記入力情報または前記検知情報に基づいて、前記制御情報を推論する請求項８に記載の情報処理装置。
【請求項１０】
前記半導体装置は、ニューラルネットワークを備え、
前記ニューラルネットワークは、入力層、中間層および出力層を備え、
前記入力層は、第１の一群のニューロン回路を備え、
前記中間層は、第２の一群のニューロン回路を備え、
前記出力層は、第３の一群のニューロン回路を備え、
前記第２の一群のニューロン回路は、第１のニューロン回路および第２のニューロン回路を含み、
前記第１のニューロン回路は、前記第１の一群のニューロン回路と電気的に接続され、
前記第２のニューロン回路は、前記第３の一群のニューロン回路と電気的に接続され、
前記第１の一群のニューロン回路は、前記入力情報または前記検知情報を供給され、
前記第３の一群のニューロン回路は、前記制御情報を供給する、請求項９に記載の情報処理装置。
【請求項１１】
前記第１のニューロン回路は、一群の入力信号、一群の重み情報およびバイアス信号を供給され、
前記第１のニューロン回路は、積和演算器および変換器を備え、
前記積和演算器は、前記変換器と電気的に接続され、
前記積和演算器は、前記一群の入力信号および前記一群の重み情報の積和値およびバイアス信号に基づいて積和信号を生成し、
前記変換器は、前記積和信号に基づいて出力信号を生成する請求項１０に記載の情報処理装置。
【請求項１２】
キーボード、ハードウェアボタン、ポインティングデバイス、タッチセンサ、照度センサ、撮像装置、音声入力装置、視線入力装置、姿勢検出装置、のうち一以上と、請求項１に記載の表示パネルと、を含む、情報処理装置。
【発明の詳細な説明】
【技術分野】
【０００１】本発明の一態様は、表示パネル、表示装置、入出力装置または情報処理装置に関する。【０００２】なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】表示パネルと、板と、ステージと、駆動回路と、調整手段とを各２つ備え、かつフレームを備える表示装置であって、表示パネルは表示部と、動作回路部と、端子と、外部電極と、透明部と、第１の部分を備え、かつ可撓性を有し、透明部は可視光を透過する領域を含み、表示パネルは、透明部と表示部の一部が板から迫り出すように、板と固定され、２つの表示パネルの一方の表示部と他方の透明部とが重なる表示装置が知られている（特許文献１）。
【先行技術文献】
【特許文献】
【０００４】
【特許文献１】特開２０１６−１６７０４５号公報
【発明の概要】
【発明が解決しようとする課題】
【０００５】本発明の一態様は、利便性または信頼性に優れた新規な表示パネルを提供することを課題の一とする。または、利便性または信頼性に優れた新規な表示装置を提供することを課題の一とする。または、利便性または信頼性に優れた新規な入出力装置を提供することを課題の一とする。または、利便性または信頼性に優れた新規な情報処理装置を提供することを課題の一とする。または、新規な表示パネル、新規な表示装置、新規な入出力装置、新規な情報処理装置または新規な半導体装置を提供することを課題の一とする。【０００６】なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】（１）本発明の一態様は、表示領域と、第１の端子領域と、第２の端子領域と、を有する表示パネルである。【０００８】第１の端子領域は表示領域を遮らないように配置され、第１の端子領域は表示領域と重なる領域を備える。また、第１の端子領域は第１の一群の端子を備え、第１の一群の端子は、第１の端子を含む。【０００９】第２の端子領域は第２の一群の端子を備え、第２の一群の端子は第２の端子を含む。【００１０】表示領域は一群の画素、他の一群の画素、走査線および信号線を備える。【００１１】一群の画素は画素を含み、一群の画素は行方向に配設される。【００１２】他の一群の画素は画素を含み、他の一群の画素は行方向と交差する列方向に配設される。【００１３】走査線は一群の画素と電気的に接続される。【００１４】信号線は他の一群の画素と電気的に接続され、信号線は第１の端子および第２の端子と電気的に接続される。【００１５】これにより、例えば、第１の端子または第２の端子の一方は、第１の端子または第２の端子の他方から供給される信号を、供給することができる。または、例えば、第１の端子または第２の端子の一方から供給される信号を、第１の端子または第２の端子の他方および他の一群の画素に分配することができる。【００１６】または、表示品位を損なうことなく、第１の端子を配置することができる。または、第１の端子を使用者から隠すことができる。または、表示領域より外側の透光性が損われない。または、表示領域を他の物品に近づけることができる。または、表示領域を他の物品に並べることができる。または、表示領域を他の表示パネルの表示領域に隣接させることができる。その結果、利便性または信頼性に優れた新規な表示パネルを提供することができる。【００１７】（２）また、本発明の一態様は、信号線が第１の領域乃至第３の領域を備える上記の表示パネルである。【００１８】第３の領域は、第１の領域および第２の領域に挟まれる領域を備える。【００１９】信号線は、第１の領域において、第１の端子と電気的に接続され、信号線は、第２の領域において、第２の端子と電気的に接続され、信号線は、第３の領域において、画素と電気的に接続される。【００２０】これにより、例えば、第１の端子を信号線の一方の端部と電気的に接続し、第２の端子を他方の端部に電気的に接続し、画素を信号線の一方の端部および他方の端部の間と電気的に接続することができる。【００２１】または、第１の端子または第２の端子の一方から供給される他の一群の画素に表示する信号以外の信号を、第１の端子または第２の端子の他方から供給することができる。または、当該表示パネルに表示しない信号を、信号線を用いて伝達することができる。その結果、利便性または信頼性に優れた新規な表示パネルを提供することができる。【００２２】（３）また、本発明の一態様は、第１の駆動回路と、第２の駆動回路と、を有する上記の表示パネルである。【００２３】第１の駆動回路は走査線と電気的に接続され、第１の駆動回路は選択信号を供給する機能を備える。【００２４】第２の駆動回路は第２の端子と電気的に接続され、第２の駆動回路は画像信号を供給する機能を備える。【００２５】これにより、例えば、当該表示パネルに表示する画像信号および他の表示パネルに表示する画像信号を第２の端子に供給することができる。または、例えば、第２の端子に供給される他の表示パネルに表示する画像信号を、第１の端子から供給することができる。その結果、利便性または信頼性に優れた新規な表示パネルを提供することができる。【００２６】（４）また、本発明の一態様は、一群の表示パネルと、他の一群の表示パネルと、を有する表示装置である。【００２７】一群の表示パネルは行方向に配設され、一群の表示パネルは上記の表示パネルを含む。【００２８】他の一群の表示パネルは行方向と交差する列方向に配設され、他の一群の表示パネルは表示パネルおよび他の表示パネルを含む。【００２９】他の表示パネルは第３の端子領域および他の表示領域を備える。【００３０】第３の端子領域は他の表示領域の外側に設けられ、第３の端子領域は第１の端子領域と重なる領域を備え、第３の端子領域は第３の一群の端子を備える。【００３１】第３の一群の端子は第３の端子を備え、第３の端子は第１の端子と電気的に接続される。【００３２】他の表示領域は表示領域の表示を視認できる方向から、表示を視認できるように配置される。【００３３】これにより、一群の表示パネルを近づけて配置することができる。または、一群の表示パネルの表示領域が連続するように配置することができる。または、他の一群の表示パネルを近づけて配置することができる。または、他の一群の表示パネルの表示領域が連続するように配置することができる。【００３４】または、連続する画像を一群の表示パネルに表示することができる。または、連続する画像を他の一群の表示パネルに表示することができる。【００３５】または、表示パネルの第２の端子に供給され、他の表示パネルに表示する画像信号を、表示パネルの第１の端子から、他の表示パネルの第３の端子に供給することができる。その結果、利便性または信頼性に優れた新規な表示装置を提供することができる。【００３６】（５）また、本発明の一態様は、上記他の表示パネルが、第４の端子領域を備える表示装置である。【００３７】第４の端子領域は他の表示領域を遮らないように配置され、第４の端子領域は他の表示領域と重なる領域を備える。また、第４の端子領域は第４の一群の端子を備える。【００３８】第４の一群の端子は第４の端子を含む。【００３９】他の表示領域は他の画素および他の信号線を備え、他の信号線は他の画素、第３の端子および第４の端子と電気的に接続される。【００４０】これにより、例えば、第４の端子は、第３の端子から供給される信号を供給することができる。または、例えば、第３の端子から供給される信号を、第４の端子および他の画素に分配することができる。【００４１】または、表示品位を損なうことなく、第４の端子を配置することができる。または、第４の端子を使用者から隠すことができる。または、他の表示領域より外側の透光性が損われない。または、他の表示領域を他の物品に近づけることができる。または、他の表示領域を他の物品に並べることができる。その結果、利便性または信頼性に優れた新規な表示装置を提供することができる。【００４２】（６）また、本発明の一態様は、制御部を有する上記の表示装置である。【００４３】制御部は画像情報および制御情報を供給され、制御部は画像情報に基づいて情報を生成し、制御部は制御情報に基づいて第１の制御信号を生成する。また、制御部は情報および第１の制御信号を供給する。【００４４】第１の駆動回路は、第１の制御信号に基づいて、選択信号および第２の制御信号を生成し、第１の駆動回路は選択信号および第２の制御信号を供給する。【００４５】第２の駆動回路は、情報に基づいて、画像信号を供給する。【００４６】第１の端子領域は第５の端子を備え、第５の端子は第１の駆動回路と電気的に接続され、第５の端子は第２の制御信号を供給される。【００４７】第２の端子領域は第６の端子を備え、第６の端子は第５の端子と電気的に接続される。【００４８】他の表示パネルは、第３の駆動回路および他の走査線を備える。【００４９】第３の駆動回路は第６の端子および他の走査線と電気的に接続され、第３の駆動回路は第２の制御信号に基づいて、他の選択信号を生成し、供給する。【００５０】他の画素は他の走査線および他の信号線と電気的に接続され、他の画素は情報および他の選択信号を供給される。【００５１】これにより、第１の駆動回路乃至第３の駆動回路の動作を同期することができる。または、連続する画像を一群の表示パネルに同期して表示することができる。または、連続する画像を他の一群の表示パネルに同期して表示することができる。その結果、利便性または信頼性に優れた新規な表示装置を提供することができる。【００５２】（７）また、本発明の一態様は、入力部と、表示部と、を有する入出力装置である。【００５３】表示部は上記の表示パネルを備え、入力部は検知領域を備える。【００５４】入力部は検知領域に近接するものを検知し、検知領域は画素と重なる領域を備える。【００５５】これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性または信頼性に優れた新規な入出力装置を提供することができる。【００５６】（８）また、本発明の一態様は、演算装置と、入出力装置と、を有する情報処理装置である。【００５７】演算装置は入力情報または検知情報を供給され、演算装置は制御情報および画像情報を供給する。【００５８】入出力装置は入力情報および検知情報を供給し、入出力装置は制御情報および画像情報を供給される。また、入出力装置は、表示部、入力部および検知部を備える。【００５９】表示部は上記の表示パネルを備え、表示部は制御情報に基づいて、画像情報を表示する。【００６０】入力部は入力情報を生成し、検知部は検知情報を生成する。【００６１】（９）また、本発明の一態様は、上記の演算装置が人工知能部を備える情報処理装置である。【００６２】人工知能部は入力情報または検知情報を供給され、人工知能部は制御情報を供給し、人工知能部は半導体装置を有する。【００６３】半導体装置は、入力情報または検知情報に基づいて、制御情報を推論する。【００６４】これにより、好適であると感じられるように表示する制御情報を生成することができる。または、好適であると感じられるように表示することができる。または、快適であると感じられるように表示する制御情報を生成することができる。または、快適であると感じられるように表示することができる。その結果、利便性または信頼性に優れた新規な情報処理装置を提供することができる。【００６５】（１０）また、本発明の一態様は、上記の半導体装置がニューラルネットワークを備える情報処理装置である。【００６６】ニューラルネットワークは、入力層、中間層および出力層を備え、入力層は第１の一群のニューロン回路を備え、中間層は第２の一群のニューロン回路を備え、出力層は第３の一群のニューロン回路を備える。【００６７】第２の一群のニューロン回路は第１のニューロン回路および第２のニューロン回路を含む。【００６８】第１のニューロン回路は第１の一群のニューロン回路と電気的に接続され、第２のニューロン回路は第３の一群のニューロン回路と電気的に接続される。【００６９】第１の一群のニューロン回路は入力情報または検知情報を供給され、第３の一群のニューロン回路は制御情報を供給する。【００７０】（１１）また、本発明の一態様は、上記の第１のニューロン回路が、一群の入力信号、一群の重み情報およびバイアス信号を供給される情報処理装置である。【００７１】第１のニューロン回路は積和演算器および変換器を備える。【００７２】積和演算器は変換器と電気的に接続され、積和演算器は一群の入力信号および一群の重み情報の積和値およびバイアス信号に基づいて積和信号を生成する。【００７３】変換器は積和信号に基づいて出力信号を生成する。【００７４】（１２）また、本発明の一態様は、キーボード、ハードウェアボタン、ポインティングデバイス、タッチセンサ、照度センサ、撮像装置、音声入力装置、視線入力装置、姿勢検出装置、のうち一以上と、上記の表示パネルと、を含む、情報処理装置である。【００７５】これにより、さまざまな入力装置を用いて供給する情報に基づいて、画像情報または制御情報を演算装置に生成させることができる。その結果、利便性または信頼性に優れた新規な情報処理装置を提供することができる。【００７６】本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。【００７７】本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。【００７８】本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。【００７９】本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。【００８０】本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。【００８１】本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。【００８２】また、本明細書中において、トランジスタの第１の電極または第２の電極の一方がソース電極を、他方がドレイン電極を指す。
【発明の効果】
【００８３】本発明の一態様によれば、利便性または信頼性に優れた新規な表示パネルを提供することができる。または、利便性または信頼性に優れた新規な表示装置を提供することができる。または、利便性または信頼性に優れた新規な入出力装置を提供することができる。または、利便性または信頼性に優れた新規な情報処理装置を提供することができる。または、新規な表示パネル、新規な表示装置、新規な入出力装置、新規な情報処理装置または、新規な半導体装置を提供することができる。【００８４】なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００８５】
【図１】実施の形態に係る表示パネルを備える表示装置の構成を説明する図。
【図２】実施の形態に係る表示パネルの構成を説明する図。
【図３】実施の形態に係る表示パネルの構成を説明する図。
【図４】実施の形態に係る表示パネルの構成を説明する図。
【図５】実施の形態に係る表示パネルの構成を説明する図。
【図６】実施の形態に係る表示パネルの構成を説明する図。
【図７】実施の形態に係る表示パネルの構成を説明する図。
【図８】実施の形態に係る表示パネルの構成を説明する図。
【図９】実施の形態に係る表示装置の構成を説明する図。
【図１０】実施の形態に係る表示パネルの構成を説明する斜視図。
【図１１】実施の形態に係る入出力装置の構成を説明するブロック図。
【図１２】実施の形態に係る情報処理装置の構成を説明するブロック図および投影図。
【図１３】実施の形態に係る情報処理装置の駆動方法を説明するフローチャート。
【図１４】実施の形態に係る情報処理装置の駆動方法を説明する図。
【図１５】実施の形態に係る情報処理装置の人工知能部を説明する図。
【図１６】実施の形態に係る情報処理装置の構成を説明する図。
【図１７】実施の形態に係る情報処理装置の構成を説明する図。
【発明を実施するための形態】
【００８６】本発明の一態様の表示パネルは、表示領域と、第１の端子領域と、第２の端子領域と、を有する。
【００８７】第１の端子領域は表示領域を遮らないように配置され、表示領域と重なる領域を備える。
【００８８】第１の端子領域は第１の一群の端子を備え、第１の一群の端子は第１の端子を含む。
【００８９】第２の端子領域は第２の一群の端子を備え、第２の一群の端子は第２の端子を含む。
【００９０】表示領域は、一群の画素、他の一群の画素、走査線および信号線を備える。
【００９１】一群の画素は画素を含み、行方向に配設される。他の一群の画素は画素を含み、行方向と交差する列方向に配設される。
【００９２】走査線は一群の画素と電気的に接続される。また、信号線は他の一群の画素と電気的に接続され、信号線は第１の端子および第２の端子と電気的に接続される。
【００９３】これにより、例えば、第１の端子または第２の端子の一方は、第１の端子または第２の端子の他方から供給される信号を、供給することができる。または、例えば、第１の端子または第２の端子の一方から供給される信号を、第１の端子または第２の端子の他方および他の一群の画素に分配することができる。
【００９４】実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００９５】（実施の形態１）
本実施の形態では、本発明の一態様の表示パネルの構成について、図１乃至図１０を参照しながら説明する。
【００９６】図１は本発明の一態様の表示パネルを備える表示装置の構成を説明する図である。図１（Ａ）は本発明の一態様の表示装置の斜視図であり、図１（Ｂ）は上面図である。図１（Ｃ）は図１（Ｂ）の切断線Ｙ１−Ｙ２における断面図であり、図１（Ｄ）は図１（Ｂ）の切断線Ｚ１−Ｚ２における断面図である。
【００９７】図２は本発明の一態様の表示パネルの構成を説明する図である。図２（Ａ）は本発明の一態様の表示パネルの斜視図であり、図２（Ｂ）は上面図である。図２（Ｃ）は図２（Ｂ）の切断線Ｙ１−Ｙ２における断面図であり、図２（Ｄ）は図２（Ｂ）の切断線Ｚ１−Ｚ２における断面図である。
【００９８】図３は本発明の一態様の表示パネルの構成を説明する図である。図３（Ａ）は本発明の一態様の表示パネルの斜視図であり、図３（Ｂ）は上面図である。図３（Ｃ）は図３（Ｂ）の切断線Ｚ１−Ｚ２における断面図である。
【００９９】図４は本発明の一態様の表示パネルの構成を説明する図である。図４（Ａ）は本発明の一態様の表示パネルの斜視図であり、図４（Ｂ）は上面図である。図４（Ｃ）は図４（Ｂ）の切断線Ｙ１−Ｙ２における断面図である。
【０１００】図５は本発明の一態様の表示パネルの構成を説明する図である。図５は図６（Ａ）の切断線Ｘ９−Ｘ１０における断面図である。
【０１０１】図６は本発明の一態様の表示パネルの構成を説明する図である。図６（Ａ）は表示パネルの上面図であり、図６（Ｂ）および図６（Ｃ）は図６（Ａ）に示す表示パネルの画素の一部を説明する上面図である。
【０１０２】図７（Ａ）は図６（Ａ）の切断線Ｘ１−Ｘ２、切断線Ｘ３−Ｘ４、切断線Ｘ９−Ｘ１０における断面図である。また、図７（Ｂ）は表示パネルが備える画素回路の構成を説明する回路図である。
【０１０３】図８（Ａ）は、本発明の一態様の表示パネルの画素の構成を説明する図である。図８（Ｂ）は、図８（Ａ）に示す画素の一部を説明する断面図である。
【０１０４】図９は本発明の一態様の表示装置の構成を説明するブロック図である。
【０１０５】なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【０１０６】図１０は本発明の一態様の表示パネルの構成を説明する図である。図１０（Ａ）は本発明の一態様の表示パネルの斜め上方からの斜視図であり、図１０（Ｂ）は斜め下方からの斜視図である。
【０１０７】本実施の形態で説明する表示パネル７００（ｐ，ｑ）は、例えば、複数個並べて、１つの表示装置に用いることができる（図１（Ａ）および図１（Ｂ）参照）。
【０１０８】＜表示パネル７００（ｐ，ｑ）の構成例１．＞
本実施の形態で説明する表示パネル７００（ｐ，ｑ）は、表示領域２３１と、端子領域５２９Ａと、端子領域５２９Ｂと、を有する（図１０（Ａ）および図１０（Ｂ）参照）。
【０１０９】《端子領域５２９Ａ》
端子領域５２９Ａは、表示領域２３１を遮らないように配置され、端子領域５２９Ａは表示領域２３１と重なる領域を備える。具体的には、端子領域５２９Ａは、表示領域２３１の奥行き方向（図中に矢印Ｄ１で示す方向）側に配置される（図１０（Ｂ）参照）。また、表示領域２３１は、奥行き方向に対向する方向に向けて表示する。換言すれば、端子領域５２９Ａは、表示領域２３１の背面に配置される。これにより、表示領域２３１の表示を遮ることなく、端子領域５２９Ａを表示領域２３１に重ねて配置することができる。
【０１１０】端子領域５２９Ａは一群の端子５１９Ａ（１）乃至端子５１９Ａ（ｎ）を備え、一群の端子５１９Ａ（１）乃至端子５１９Ａ（ｎ）は端子５１９Ａ（ｊ）を含む（図９参照）。
【０１１１】《端子領域５２９Ｂ》
端子領域５２９Ｂは一群の端子５１９Ｂ（１）乃至端子５１９Ｂ（ｎ）を備え、一群の端子５１９Ｂ（１）乃至端子５１９Ｂ（ｎ）は端子５１９Ｂ（ｊ）を含む。なお、端子領域５２９Ｂは表示領域２３１の外側に配置される（図１０（Ａ）参照）。
【０１１２】《表示領域２３１》
表示領域２３１は、一群の画素７０２（ｉ，１）乃至画素７０２（ｉ，ｎ）、他の一群の画素７０２（１，ｊ）乃至画素７０２（ｍ，ｊ）、走査線Ｇ１（ｉ）および信号線Ｓ１（ｊ）を備える（図９参照）。
【０１１３】一群の画素７０２（ｉ，１）乃至画素７０２（ｉ，ｎ）は、画素７０２（ｉ，ｊ）を含み、行方向（図中に矢印Ｒ１で示す方向）に配設される。
【０１１４】他の一群の画素７０２（１，ｊ）乃至画素７０２（ｍ，ｊ）は、画素７０２（ｉ，ｊ）を含み、行方向と交差する列方向（図中に矢印Ｃ１で示す方向）に配設される。
【０１１５】《走査線Ｇ１（ｉ）》
走査線Ｇ１（ｉ）は、一群の画素７０２（ｉ，１）乃至画素７０２（ｉ，ｎ）と電気的に接続される。
【０１１６】《信号線Ｓ１（ｊ）》
信号線Ｓ１（ｊ）は他の一群の画素７０２（１，ｊ）乃至画素７０２（ｍ，ｊ）と電気的に接続され、端子５１９Ａ（ｊ）および端子５１９Ｂ（ｊ）と電気的に接続される。
【０１１７】これにより、例えば、第１の端子５１９Ａ（ｊ）または第２の端子５１９Ｂ（ｊ）の一方は、第１の端子５１９Ａ（ｊ）または第２の端子５１９Ｂ（ｊ）の他方から供給される信号を、供給することができる。または、例えば、第１の端子５１９Ａ（ｊ）または第２の端子５１９Ｂ（ｊ）の一方から供給される信号を、第１の端子５１９Ａ（ｊ）または第２の端子５１９Ｂ（ｊ）の他方および他の一群の画素７０２（１，ｊ）乃至画素７０２（ｍ，ｊ）に分配することができる。
【０１１８】または、表示品位を損なうことなく、第１の端子５１９Ａ（ｊ）を配置することができる。または、第１の端子５１９Ａ（ｊ）を使用者から隠すことができる。または、表示領域２３１より外側の透光性が損われない。または、表示領域２３１を他の物品に近づけることができる。または、表示領域２３１を他の物品に並べることができる。または、表示領域２３１を他の表示パネルの表示領域に隣接させることができる。その結果、利便性または信頼性に優れた新規な表示パネルを提供することができる。
【０１１９】《信号線Ｓ１（ｊ）》
また、信号線Ｓ１（ｊ）は、第１の領域、第２の領域、第３の領域を備える。なお、第３の領域は、第１の領域および第２の領域に挟まれる。
【０１２０】信号線Ｓ１（ｊ）は、第１の領域において、端子５１９Ａ（ｊ）と電気的に接続され、第２の領域において、端子５１９Ｂ（ｊ）と電気的に接続される（図９参照）。また、信号線Ｓ１（ｊ）は、第３の領域において、画素７０２（ｉ，ｊ）と電気的に接続される。
【０１２１】これにより、例えば、第１の端子５１９Ａ（ｊ）を信号線Ｓ１（ｊ）の一方の端部と電気的に接続し、第２の端子５１９Ｂ（ｊ）を他方の端部に電気的に接続し、画素７０２（ｉ，ｊ）を信号線Ｓ１（ｊ）の一方の端部および他方の端部の間と電気的に接続することができる。
【０１２２】または、第１の端子５１９Ａ（ｊ）または第２の端子５１９Ｂ（ｊ）の一方から供給される他の一群の画素７０２（１，ｊ）乃至画素７０２（ｍ，ｊ）に表示する信号以外の信号を、第１の端子５１９Ａ（ｊ）または第２の端子５１９Ｂ（ｊ）の他方から供給することができる。または、当該表示パネルに表示しない信号を、信号線を用いて伝達することができる。その結果、利便性または信頼性に優れた新規な表示パネルを提供することができる。
【０１２３】＜表示パネル７００（ｐ，ｑ）の構成例２．＞
また、本発明の一態様の表示パネルは、駆動回路ＧＤＡと、駆動回路ＳＤ１と、を有する（図９参照）。
【０１２４】《駆動回路ＧＤＡの構成例１．》
駆動回路ＧＤＡは走査線Ｇ１（ｉ）と電気的に接続され、駆動回路ＧＤＡは選択信号を供給する機能を備える。
【０１２５】駆動回路ＧＤＡは、シフトレジスタおよびラッチ回路を備える。例えば、画素回路５３０（ｉ，ｊ）に用いるトランジスタと同じ構成を備えるトランジスタを駆動回路ＧＤＡに用いることができる。（図８（Ａ）および図８（Ｂ）参照）。これにより、駆動回路ＧＤＡおよび画素回路５３０（ｉ，ｊ）を、同一の工程で作製することができる。
【０１２６】なお、画素回路５３０（ｉ，ｊ）に用いるトランジスタより高速で動作するように、駆動回路ＧＤＡに用いるトランジスタの寸法等を設計することができる。
【０１２７】《駆動回路ＧＤＡの構成例２．》
駆動回路ＧＤＡは、３０Ｈｚ以上の頻度で、選択信号を走査線Ｇ１（ｉ）に供給する機能を備える。または、駆動回路ＧＤＡは、頻度を変えて選択信号を供給する機能を備える。例えば、１Ｈｚ以下または３０Ｈｚ以上の頻度で、選択信号を走査線Ｇ１（ｉ）に供給する機能を備える。
【０１２８】《駆動回路ＳＤ１の構成例１．》
駆動回路ＳＤ１は第２の端子５１９Ｂ（ｊ）と電気的に接続され、駆動回路ＳＤ１は、画像信号を供給する機能を備える。
【０１２９】これにより、例えば、一の表示パネルに表示する画像信号および他の表示パネルに表示する画像信号を第２の端子５１９Ｂ（ｊ）に供給することができる。または、例えば、第２の端子５１９Ｂ（ｊ）に供給される他の表示パネルに表示する画像信号を、第１の端子５１９Ａ（ｊ）から供給することができる。その結果、利便性または信頼性に優れた新規な表示パネルを提供することができる。
【０１３０】駆動回路ＳＤ１は、シフトレジスタ、ラッチ回路、デジタルアナログ変換回路およびバッファアンプ等を備える。デジタルアナログ変換回路は、例えば、抵抗列およびパストランジスタを用いた論理回路を備える。
【０１３１】例えば、単結晶シリコンを半導体に用いるトランジスタを、駆動回路ＳＤ１に用いることができる。または、例えば、酸化物半導体膜を用いるトランジスタを駆動回路ＳＤ１に用いることができる。
【０１３２】例えば、酸化物半導体膜を用いるトランジスタをパストランジスタを用いた論理回路に用いることができる。これにより、例えば、レーザ結晶化に伴いリッジが形成されてしまうポリシリコン膜に比べて、半導体膜の表面の凹凸を小さくすることができる。または、例えば、２０ｎｍ程度の薄い絶縁膜をゲート絶縁膜に用いることができる。または、酸化物半導体膜を用いるトランジスタの駆動能力を高めることができる。または、ポリシリコンを用いるトランジスタで構成する論理回路等に比べて、動作速度を速くすることができる。
【０１３３】＜表示パネル７００（ｐ．ｑ）の構成例３．＞
本実施の形態で説明する表示パネル７００（ｐ，ｑ）は、画素７０２（ｉ，ｊ）を有する（図６（Ａ）参照）。
【０１３４】《画素７０２（ｉ，ｊ）の構成例１．》
画素７０２（ｉ，ｊ）は、機能層５２０および表示素子５５０（ｉ，ｊ）を備える（図７（Ａ）参照）。
【０１３５】《機能層５２０の構成例１．》
機能層５２０は画素回路５３０（ｉ，ｊ）を備える。
【０１３６】《画素回路５３０（ｉ，ｊ）の構成例１．》
画素回路５３０（ｉ，ｊ）は、表示素子５５０（ｉ，ｊ）と電気的に接続される（図７（Ａ）および図７（Ｂ）参照）。
【０１３７】例えば、画素回路５３０（ｉ，ｊ）は、開口部５９１Ａ（ｉ，ｊ）において、表示素子５５０（ｉ，ｊ）と電気的に接続される（図８（Ａ）参照）。
【０１３８】例えば、スイッチ、トランジスタ、ダイオード、抵抗素子、インダクタまたは容量素子等を画素回路５３０（ｉ，ｊ）に用いることができる。
【０１３９】画素回路５３０（ｉ，ｊ）は、スイッチＳＷ２および容量素子Ｃ２１を含む。
【０１４０】例えば、トランジスタをスイッチＳＷ２に用いることができる。
【０１４１】《スイッチＳＷ２の構成例１．》
トランジスタＭと同じ構成を備えるトランジスタを、スイッチＳＷ２に用いることができる（図８（Ａ）および図８（Ｂ）参照）。これにより、スイッチＳＷ２およびトランジスタＭを、同一の工程で作製することができる。
【０１４２】なお、スイッチＳＷ２に用いるトランジスタより高い電流駆動能力が得られるように、トランジスタＭの寸法等を設計することができる。または、非導通状態において流れる電流を抑制するように、スイッチＳＷ２に用いるトランジスタの寸法等を設計することができる。
【０１４３】トランジスタは、半導体膜５０８、導電膜５０４、導電膜５１２Ａおよび導電膜５１２Ｂを備える（図８（Ｂ）参照）。
【０１４４】半導体膜５０８は、導電膜５１２Ａと電気的に接続される領域５０８Ａ、導電膜５１２Ｂと電気的に接続される領域５０８Ｂを備える。半導体膜５０８は、領域５０８Ａおよび領域５０８Ｂの間に領域５０８Ｃを備える。
【０１４５】導電膜５０４は領域５０８Ｃと重なる領域を備え、導電膜５０４はゲート電極の機能を備える。
【０１４６】絶縁膜５０６は、半導体膜５０８および導電膜５０４の間に挟まれる領域を備える。絶縁膜５０６はゲート絶縁膜の機能を備える。
【０１４７】導電膜５１２Ａはソース電極の機能またはドレイン電極の機能の一方を備え、導電膜５１２Ｂはソース電極の機能またはドレイン電極の機能の他方を備える。
【０１４８】また、導電膜５２４をトランジスタに用いることができる。導電膜５２４は、導電膜５０４との間に半導体膜５０８を挟む領域を備える。導電膜５２４は、第２のゲート電極の機能を備える。導電膜５２４を、例えば、導電膜５０４と電気的に接続することができる。
【０１４９】なお、例えば、同一の工程で形成することができる半導体膜を駆動回路および画素回路のトランジスタに用いることができる。
【０１５０】例えば、ボトムゲート型のトランジスタまたはトップゲート型のトランジスタなどを駆動回路のトランジスタまたは画素回路のトランジスタに用いることができる。
【０１５１】《半導体膜５０８の構成例１．》
例えば、１４族の元素を含む半導体を半導体膜５０８に用いることができる。具体的には、シリコンを含む半導体を半導体膜５０８に用いることができる。
【０１５２】［水素化アモルファスシリコン］
例えば、水素化アモルファスシリコンを半導体膜５０８に用いることができる。または、微結晶シリコンなどを半導体膜５０８に用いることができる。これにより、例えば、ポリシリコンを半導体膜５０８に用いる表示パネルより、表示ムラが少ない表示パネルを提供することができる。または、表示パネルの大型化が容易である。
【０１５３】［ポリシリコン］
例えば、ポリシリコンを半導体膜５０８に用いることができる。これにより、例えば、水素化アモルファスシリコンを半導体膜５０８に用いるトランジスタより、トランジスタの電界効果移動度を高くすることができる。または、例えば、水素化アモルファスシリコンを半導体膜５０８に用いるトランジスタより、駆動能力を高めることができる。または、例えば、水素化アモルファスシリコンを半導体膜５０８に用いるトランジスタより、画素の開口率を向上することができる。
【０１５４】または、例えば、水素化アモルファスシリコンを半導体膜５０８に用いるトランジスタより、トランジスタの信頼性を高めることができる。
【０１５５】または、トランジスタの作製に要する温度を、例えば、単結晶シリコンを用いるトランジスタより、低くすることができる。
【０１５６】または、駆動回路のトランジスタに用いる半導体膜を、画素回路のトランジスタに用いる半導体膜と同一の工程で形成することができる。または、画素回路を形成する基板と同一の基板上に駆動回路を形成することができる。または、電子機器を構成する部品数を低減することができる。
【０１５７】［単結晶シリコン］
例えば、単結晶シリコンを半導体膜に用いることができる。これにより、例えば、水素化アモルファスシリコンを半導体膜５０８に用いる表示パネルより、精細度を高めることができる。または、例えば、ポリシリコンを半導体膜５０８に用いる表示パネルより、表示ムラが少ない表示パネルを提供することができる。または、例えば、スマートグラスまたはヘッドマウントディスプレイを提供することができる。
【０１５８】《半導体膜５０８の構成例２．》
例えば、酸化物半導体を用いるトランジスタを利用することができる。具体的には、インジウムを含む酸化物半導体またはインジウムとガリウムと亜鉛を含む酸化物半導体を半導体膜に用いることができる。
【０１５９】一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０１６０】これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満、より好ましくは一分に一回未満の頻度で供給することができる。その結果、情報処理装置の使用者に蓄積する疲労を低減することができる。また、駆動に伴う消費電力を低減することができる。
【０１６１】例えば、インジウム、ガリウムおよび亜鉛を含む厚さ２５ｎｍの膜を、半導体膜５０８に用いることができる。
【０１６２】例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０１６３】例えば、シリコンおよび窒素を含む厚さ４００ｎｍの膜と、シリコン、酸素および窒素を含む厚さ２００ｎｍの膜と、を積層した積層膜を、絶縁膜５０６に用いることができる。なお、シリコンおよび窒素を含む膜は、半導体膜５０８との間に、シリコン、酸素および窒素を含む膜を挟む領域を備える。
【０１６４】例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０１６５】ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型のトランジスタの製造ラインは、酸化物半導体を半導体に用いるトップゲート型のトランジスタの製造ラインに容易に改造できる。いずれの改造も、既存の製造ラインを有効に活用することができる。
【０１６６】これにより、チラツキを抑制することができる。または、消費電力を低減することができる。または、動きの速い動画を滑らかに表示することができる。または、豊かな階調で写真等を表示することができる。その結果、利便性または信頼性に優れた新規な表示パネルを提供することができる。
【０１６７】《半導体膜５０８の構成例３．》
例えば、化合物半導体を半導体膜５０８に用いることができる。具体的には、ガリウムヒ素を含む半導体を用いることができる。
【０１６８】例えば、有機半導体を半導体膜５０８に用いることができる。具体的には、ポリアセン類またはグラフェンを含む有機半導体を用いることができる。これにより、例えば、印刷法またはインクジェット法等を用いて半導体膜を形成することができる。または、安価な方法で半導体膜を作製することができる。
【０１６９】《表示素子５５０（ｉ，ｊ）の構成例１．》
表示素子５５０（ｉ，ｊ）は、光を射出する機能を備える。
【０１７０】表示素子５５０（ｉ，ｊ）は、発光性の材料を含む層５５３（ｊ）を備える（図８（Ａ）参照）。
【０１７１】例えば、光を射出する機能を備える表示素子を表示素子５５０（ｉ，ｊ）に用いることができる。具体的には、有機エレクトロルミネッセンス素子、無機エレクトロルミネッセンス素子、発光ダイオードまたはＱＤＬＥＤ（Ｑｕａｎｔｕｍ  Ｄｏｔ  ＬＥＤ）等を、表示素子５５０（ｉ，ｊ）に用いることができる。
【０１７２】《発光性の材料を含む層５５３（ｊ）の構成例１．》
例えば、信号線Ｓ１（ｊ）に沿って列方向に長い帯状の積層材料を、発光性の材料を含む層５５３（ｊ）に用いることができる。
【０１７３】具体的には、発光性の材料を含む層５５３（ｊ）、発光性の材料を含む層５５３（ｊ＋１）および発光性の材料を含む層５５３（ｊ＋２）に、色相が互いに異なる光を発する材料を用いることができる。これにより、例えば、表示素子５５０（ｉ，ｊ）が射出する光の色相を、列ごとに異ならせることができる。
【０１７４】例えば、青色の光を発する材料、緑色の光を発する材料および赤色の光を発する材料を、互いに異なる色相の光を発する材料に用いることができる。
【０１７５】《発光性の材料を含む層５５３（ｊ）の構成例２．》
例えば、白色の光を射出するように積層された積層材料を、発光性の材料を含む層５５３（ｊ）に用いることができる。
【０１７６】具体的には、色相が互いに異なる光を発する材料を、発光性の材料を含む層５５３（ｊ）に用いることができる。
【０１７７】例えば、青色の光を射出する蛍光材料を含む発光性の材料を含む層と、緑色および赤色の光を射出する蛍光材料以外の材料を含む層を積層した積層材料を、発光性の材料を含む層５５３（ｊ）に用いることができる。または黄色の光を射出する蛍光材料以外の材料を含む層と、を積層した積層材料を、発光性の材料を含む層５５３（ｊ）に用いることができる。
【０１７８】例えば、発光ユニットを発光性の材料を含む層５５３（ｊ）に用いることができる。発光ユニットは、一方から注入された電子が他方から注入された正孔と再結合する領域を１つ備える。また、発光ユニットは発光性の材料を含み、発光性の材料は、電子と正孔の再結合により生じるエネルギーを光として放出する。
【０１７９】例えば、複数の発光ユニットおよび中間層を発光性の材料を含む層５５３（ｊ）に用いることができる。中間層は、二つの発光ユニットの間に挟まれる領域を備える。中間層は電荷発生領域を備え、中間層は陰極側に配置された発光ユニットに正孔を供給し、陽極側に配置された発光ユニットに電子を供給する機能を備える。また、複数の発光ユニットおよび中間層を備える構成をタンデム型の発光素子という場合がある。
【０１８０】例えば、一の色相の光を発する材料を含む発光ユニットと、他の色相の光を発する材料を含む発光ユニットを、発光性の材料を含む層５５３（ｊ）に用いることができる。
【０１８１】例えば、高分子化合物（オリゴマー、デンドリマー、ポリマー等）、中分子化合物（低分子と高分子の中間領域の化合物：分子量４００以上４０００以下）等を、発光性の材料を含む層５５３（ｊ）に用いることができる。
【０１８２】《電極５５１（ｉ，ｊ）、電極５５２》
電極５５１（ｉ，ｊ）は、開口部５９１Ａ（ｉ，ｊ）において、画素回路５３０（ｉ，ｊ）と電気的に接続される（図８（Ａ）参照）。
【０１８３】例えば、配線等に用いることができる材料を電極５５１（ｉ，ｊ）または電極５５２に用いることができる。具体的には、可視光について透光性を有する材料を電極５５１（ｉ，ｊ）または電極５５２に用いることができる。
【０１８４】例えば、導電性酸化物またはインジウムを含む導電性酸化物、酸化インジウム、インジウム錫酸化物、インジウム亜鉛酸化物、酸化亜鉛、ガリウムを添加した酸化亜鉛などを用いることができる。または、光が透過する程度に薄い金属膜を用いることができる。または、可視光について透光性を有する材料を用いることができる。
【０１８５】例えば、光の一部を透過し、光の他の一部を反射する金属膜を電極５５１（ｉ，ｊ）または電極５５２に用いることができる。これにより、例えば、電極５５１（ｉ，ｊ）および電極５５２の間の距離を調整することができる。または、微小共振器構造を表示素子５５０（ｉ，ｊ）に設けることができる。または、所定の波長の光を他の光より効率よく取り出すことができる。または、スペクトルの半値幅が狭い光を取り出すことができる。または、鮮やかな色の光を取り出すことができる。
【０１８６】例えば、効率よく光を反射する膜を、電極５５１（ｉ，ｊ）または電極５５２に用いることができる。具体的には、銀およびパラジウム等を含む材料または銀および銅等を含む材料を金属膜に用いることができる。
【０１８７】《画素７０２（ｉ，ｊ）の構成例２．》
表示領域２３１は、複数の画素を備える。例えば、色相が互いに異なる色を表示する機能を備える画素を表示領域２３１に用いることができる。または、当該複数の画素を用いて、各々その画素では表示できない色相の色を、加法混色により表示することができる。
【０１８８】なお、色相が異なる色を表示することができる複数の画素を混色に用いる場合において、それぞれの画素を副画素と言い換えることができる。また、複数の副画素を一組にして、画素と言い換えることができる。
【０１８９】例えば、画素７０２（ｉ，ｊ）を副画素と言い換えることができ、画素７０２（ｉ，ｊ）、画素７０２（ｉ，ｊ＋１）および画素７０２（ｉ，ｊ＋２）を一組にして、画素７０３（ｉ，ｋ）と言い換えることができる（図６（Ｃ）参照）。
【０１９０】具体的には、青色を表示する副画素、緑色を表示する副画素および赤色を表示する副画素を一組にして、画素７０３（ｉ，ｋ）に用いることができる。また、シアンを表示する副画素、マゼンタを表示する副画素およびイエローを表示する副画素を一組にして、画素７０３（ｉ，ｋ）に用いることができる。
【０１９１】また、例えば、白色等を表示する副画素を上記の一組に加えて、画素に用いることができる。
【０１９２】＜表示パネル７００（ｐ．ｑ）の構成例４．＞
また、表示パネル７００（ｐ．ｑ）は、表示領域２３１を有する（図６（Ａ）参照）。
【０１９３】《表示領域２３１の構成例１．》
表示領域２３１は、画素７０２（ｉ，ｊ）、画素７０２（ｉ，ｊ＋１）および画素７０２（ｉ，ｊ＋２）を備える（図６（Ｃ）参照）。
【０１９４】画素７０２（ｉ，ｊ）は、ＣＩＥ１９３１色度座標における色度ｘが０．６８０より大きく０．７２０以下、色度ｙが０．２６０以上０．３２０以下の色の光を射出する。
【０１９５】画素７０２（ｉ，ｊ＋１）は、ＣＩＥ１９３１色度座標における色度ｘが０．１３０以上０．２５０以下、色度ｙが０．７１０より大きく０．８１０以下の色の光を射出する。
【０１９６】画素７０２（ｉ，ｊ＋２）は、ＣＩＥ１９３１色度座標における色度ｘが０．１２０以上０．１７０以下、色度ｙが０．０２０以上０．０６０未満である光を射出する。
【０１９７】また、画素７０２（ｉ，ｊ）、画素７０２（ｉ，ｊ＋１）および画素７０２（ｉ，ｊ＋２）を、ＣＩＥ色度図（ｘ，ｙ）におけるＢＴ．２０２０の色域に対する面積比が８０％以上、または、該色域に対するカバー率が７５％以上になるように備える。好ましくは、面積比が９０％以上、または、カバー率が８５％以上になるように備える。
【０１９８】《表示領域２３１の構成例２．》
表示領域２３１は、複数の画素を行列状に備える。例えば、表示領域２３１は７６００個以上の画素を行方向に備え、４３００個以上の画素を列方向に備える。例えば、７６８０個の画素を行方向に備え、４３２０個の画素を列方向に備える。
【０１９９】なお、複数の表示パネルの表示領域をタイル状に並べて、１つの表示領域を構成することもできる。
【０２００】表示領域２３１は、例えば、６０Ｈｚ以上好ましくは１２０Ｈｚ以上のフレーム周波数で表示をすることができる。または、プログレッシブ方式を用いて、１２０Ｈｚのフレーム周波数で表示をすることができる。または、国際規格であるＲｅｃｏｍｍｅｎｄａｔｉｏｎ  ＩＴＵ−Ｒ  ＢＴ．２０２０−２を満たす、極めて高解像度な表示をすることができる。または、極めて高解像度な表示をすることができる。
【０２０１】＜表示パネル７００（ｐ．ｑ）の構成例５．＞
表示パネル７００（ｐ．ｑ）は、基材５１０、基材７７０および機能層５２０を備える（図８（Ａ）参照）。
【０２０２】機能層５２０は、基材５１０および基材７７０の間に挟まれる領域を備える。
【０２０３】《基材５１０、基材７７０》
透光性を備える材料を、基材５１０または基材７７０に用いることができる。
【０２０４】ところで、片側の表面に、例えば１μｍ以下の反射防止膜が形成された材料を用いることができる。具体的には、誘電体を３層以上、好ましくは５層以上、より好ましくは１５層以上積層した積層膜を基材７７０に用いることができる。これにより、反射率を０．５％以下好ましくは０．０８％以下に抑制することができる。
【０２０５】例えば、作製工程中の熱処理に耐えうる程度の耐熱性を有する材料を基材５１０または基材７７０に用いることができる。例えば、厚さ０．７ｍｍ以下厚さ０．１ｍｍ以上の材料を用いることができる。具体的には、厚さ０．１ｍｍ程度まで研磨した材料を用いることができる。これにより、重量を低減することができる。
【０２０６】例えば、第６世代（１５００ｍｍ×１８５０ｍｍ）、第７世代（１８７０ｍｍ×２２００ｍｍ）、第８世代（２２００ｍｍ×２４００ｍｍ）、第９世代（２４００ｍｍ×２８００ｍｍ）、第１０世代（２９５０ｍｍ×３４００ｍｍ）、第１１世代（３０００ｍｍ×３３２０ｍｍ）等の面積が大きなガラス基板を基材５１０または基材７７０に用いることができる。これにより、大型の表示装置を作製することができる。
【０２０７】有機材料、無機材料または有機材料と無機材料等の複合材料等を基材５１０または基材７７０に用いることができる。
【０２０８】例えば、ガラス、セラミックス、金属等の無機材料を用いることができる。具体的には、無アルカリガラス、ソーダ石灰ガラス、カリガラス、クリスタルガラス、アルミノ珪酸ガラス、強化ガラス、化学強化ガラス、石英またはサファイア等を、基材５１０または基材７７０に用いることができる。または、アルミノ珪酸ガラス、強化ガラス、化学強化ガラスまたはサファイア等を、表示パネルの使用者に近い側に配置される基材５１０または基材７７０に好適に用いることができる。これにより、使用に伴う表示パネルの破損や傷付きを防止することができる。
【０２０９】具体的には、無機酸化物膜、無機窒化物膜または無機酸窒化物膜等を用いることができる。例えば、酸化シリコン膜、窒化シリコン膜、酸化窒化シリコン膜、酸化アルミニウム膜等を用いることができる。ステンレス・スチールまたはアルミニウム等を基材５１０または基材７７０に用いることができる。
【０２１０】例えば、シリコンや炭化シリコンからなる単結晶半導体基板、多結晶半導体基板、シリコンゲルマニウム等の化合物半導体基板、ＳＯＩ基板等を基材５１０または基材７７０に用いることができる。これにより、半導体素子を基材５１０または基材７７０に形成することができる。
【０２１１】例えば、樹脂、樹脂フィルムまたはプラスチック等の有機材料を基材５１０または基材７７０に用いることができる。具体的には、ポリエステル、ポリオレフィン、ポリアミド、ポリイミド、ポリカーボネートまたはアクリル樹脂等の樹脂フィルムまたは樹脂板を用いることができる。これにより、重量を低減することができる。または、例えば、落下に伴う破損等の発生頻度を低減することができる。
【０２１２】例えば、金属板、薄板状のガラス板または無機材料等の膜を樹脂フィルム等に貼り合わせた複合材料を基材５１０または基材７７０に用いることができる。例えば、繊維状または粒子状の金属、ガラスもしくは無機材料等を樹脂フィルムに分散した複合材料を用いることができる。例えば、繊維状または粒子状の樹脂もしくは有機材料等を無機材料に分散した複合材料を用いることができる。
【０２１３】また、単層の材料または複数の層が積層された材料を、基材５１０または基材７７０に用いることができる。例えば、基材と基材に含まれる不純物の拡散を防ぐ絶縁膜等が積層された材料を用いることができる。具体的には、ガラスとガラスに含まれる不純物の拡散を防ぐ酸化シリコン層、窒化シリコン層または酸化窒化シリコン層等から選ばれた一または複数の膜が積層された材料を用いることができる。または、樹脂と樹脂を透過する不純物の拡散を防ぐ酸化シリコン膜、窒化シリコン膜または酸化窒化シリコン膜等が積層された材料を用いることができる。
【０２１４】具体的には、ポリエステル、ポリオレフィン、ポリアミド（ナイロン、アラミド等）、ポリイミド、ポリカーボネート、ポリウレタン、アクリル樹脂、エポキシ樹脂もしくはシリコーン等のシロキサン結合を有する樹脂を含む材料を基材５１０または基材７７０に用いることができる。例えば、これらの樹脂を含む樹脂フィルム、樹脂板または積層材料等を用いることができる。
【０２１５】具体的には、ポリエチレンテレフタレート（ＰＥＴ）、ポリエチレンナフタレート（ＰＥＮ）、ポリエーテルサルフォン（ＰＥＳ）、シクロオレフィンポリマー（ＣＯＰ）またはシクロオレフィンコポリマー（ＣＯＣ）等を基材５１０または基材７７０に用いることができる。
【０２１６】また、紙または木材などを基材５１０または基材７７０に用いることができる。
【０２１７】例えば、可撓性を有する材料を基材５１０または基材７７０に用いることができる。
【０２１８】例えば、トランジスタまたは容量素子等を基板に直接形成する方法を用いることができる。または、作製工程中に加わる熱に耐熱性を有する工程用の基板にトランジスタまたは容量素子等を形成し、形成されたトランジスタまたは容量素子等を、例えば、基材５１０または基材７７０に転置する方法を用いることができる。これにより、例えば可撓性を有する基板にトランジスタまたは容量素子等を形成できる。
【０２１９】《機能層５２０の構成例２．》
機能層５２０は、絶縁膜５２１、絶縁膜５１８、絶縁膜５１６、絶縁膜５０６および絶縁膜５０１Ｄを備える。または、絶縁膜５０１Ｃ、絶縁膜５０１Ａおよび絶縁膜５２８等を備える。
【０２２０】［絶縁膜５２１］
絶縁膜５２１は、画素回路５３０（ｉ，ｊ）および表示素子５５０（ｉ，ｊ）の間に挟まれる領域を備える（図８（Ａ）参照）。
【０２２１】例えば、絶縁性の無機材料、絶縁性の有機材料または無機材料と有機材料を含む絶縁性の複合材料を、絶縁膜５２１に用いることができる。
【０２２２】具体的には、無機酸化物膜、無機窒化物膜または無機酸化窒化物膜等またはこれらから選ばれた複数を積層した積層材料を、絶縁膜５２１に用いることができる。
【０２２３】例えば、酸化シリコン膜、窒化シリコン膜、酸化窒化シリコン膜、酸化アルミニウム膜等またはこれらから選ばれた複数を積層した積層材料を含む膜を、絶縁膜５２１に用いることができる。なお、窒化シリコン膜は緻密な膜であり、不純物の拡散を抑制する機能に優れる。
【０２２４】例えば、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１に用いることができる。また、感光性を有する材料を用いて形成してもよい。これにより、絶縁膜５２１は、例えば、絶縁膜５２１と重なるさまざまな構造に由来する段差を平坦化することができる。
【０２２５】なお、ポリイミドは熱的安定性、絶縁性、靱性、低誘電率、低熱膨張率、耐薬品性などの特性において他の有機材料に比べて優れた特性を備える。これにより、特にポリイミドを絶縁膜５２１等に好適に用いることができる。
【０２２６】例えば、感光性を有する材料を用いて形成された膜を絶縁膜５２１に用いることができる。具体的には、感光性のポリイミドまたは感光性のアクリル等を用いて形成された膜を絶縁膜５２１に用いることができる。
【０２２７】例えば、透光性を有する材料を絶縁膜５２１に用いることができる。具体的には、窒化シリコンを絶縁膜５２１に用いることができる。
【０２２８】［絶縁膜５１８］
絶縁膜５１８は、画素回路５３０（ｉ，ｊ）および絶縁膜５２１の間に挟まれる領域を備える（図８（Ｂ）参照）。なお、積層膜を絶縁膜５１８に用いることができる。
【０２２９】例えば、絶縁膜５２１に用いることができる材料を絶縁膜５１８に用いることができる。
【０２３０】例えば、酸素、水素、水、アルカリ金属、アルカリ土類金属等の拡散を抑制する機能を備える材料を絶縁膜５１８に用いることができる。具体的には、窒化物絶縁膜を絶縁膜５１８に用いることができる。例えば、窒化シリコン、窒化酸化シリコン、窒化アルミニウム、窒化酸化アルミニウム等を絶縁膜５１８に用いることができる。これにより、トランジスタの半導体膜への不純物の拡散を抑制することができる。
【０２３１】［絶縁膜５１６］
絶縁膜５１６は、画素回路５３０（ｉ，ｊ）および絶縁膜５１８の間に挟まれる領域を備える（図８（Ｂ）参照）。なお、積層膜を絶縁膜５１６に用いることができる。具体的には、絶縁膜５１６Ａおよび絶縁膜５１６Ｂを積層した絶縁膜を絶縁膜５１６に用いることができる。
【０２３２】例えば、絶縁膜５２１に用いることができる材料を絶縁膜５１６に用いることができる。具体的には、絶縁膜５１８とは作製方法が異なる膜を絶縁膜５１６に用いることができる。
【０２３３】［絶縁膜５０６］
絶縁膜５０６は、半導体膜５０８および導電膜５０４の間に挟まれる領域を備える（図８（Ｂ）参照）。
【０２３４】例えば、絶縁膜５２１に用いることができる材料を絶縁膜５０６に用いることができる。具体的には、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜または酸化ネオジム膜を含む膜を絶縁膜５０６に用いることができる。
【０２３５】［絶縁膜５０１Ｄ］
絶縁膜５０１Ｄは、絶縁膜５０１Ｃおよび絶縁膜５１６の間に挟まれる領域を備える（図８（Ｂ）参照）。
【０２３６】例えば、絶縁膜５０６に用いることができる材料を絶縁膜５０１Ｄに用いることができる。
【０２３７】［絶縁膜５０１Ｃ］
絶縁膜５０１Ｃは、画素回路５３０（ｉ，ｊ）および基材５１０の間に挟まれる領域を備える（図８（Ａ）参照）。
【０２３８】例えば、絶縁膜５２１に用いることができる材料を絶縁膜５０１Ｃに用いることができる。具体的には、シリコンおよび酸素を含む材料を絶縁膜５０１Ｃに用いることができる。これにより、画素回路または表示素子等への不純物の拡散を抑制することができる。
【０２３９】［絶縁膜５０１Ａ］
例えば、絶縁膜５２１に用いることができる材料を絶縁膜５０１Ａに用いることができる。また、例えば、水素を供給する機能を備える材料を絶縁膜５０１Ａに用いることができる。または、ポリイミド等を絶縁膜５０１Ａに用いることができる。
【０２４０】具体的には、シリコンおよび酸素を含む材料と、シリコンおよび窒素を含む材料と、を積層した材料を、絶縁膜５０１Ａに用いることができる。例えば、加熱等により水素を放出し、放出した水素を他の構成に供給する機能を備える材料を、絶縁膜５０１Ａに用いることができる。具体的には、作製工程中に取り込まれた水素を加熱等により放出し、他の構成に供給する機能を備える材料を絶縁膜５０１Ａに用いることができる。
【０２４１】例えば、原料ガスにシラン等を用いる化学気相成長法により形成されたシリコンおよび酸素を含む膜を、絶縁膜５０１Ａに用いることができる。
【０２４２】具体的には、シリコンおよび酸素を含む厚さ２００ｎｍ以上６００ｎｍ以下の材料と、シリコンおよび窒素を含む厚さ２００ｎｍ程度の材料と、を積層した材料を絶縁膜５０１Ａに用いることができる。
【０２４３】［絶縁膜５２８］
絶縁膜５２８は、絶縁膜５２１および基材７７０の間に挟まれる領域を備え、表示素子５５０（ｉ，ｊ）と重なる領域に開口部を備える（図８（Ａ）参照）。電極５５１（ｉ，ｊ）の周縁に沿って形成される絶縁膜５２８は、電極５５１（ｉ，ｊ）および電極５５２の短絡を防止する。
【０２４４】例えば、絶縁膜５２１に用いることができる材料を絶縁膜５２８に用いることができる。具体的には、酸化珪素膜、アクリル樹脂を含む膜またはポリイミドを含む膜を絶縁膜５２８に用いることができる。
【０２４５】《配線、端子、導電膜》
導電性を備える材料を配線等に用いることができる。具体的には、導電性を備える材料を、信号線Ｓ１（ｊ）、走査線Ｇ１（ｉ）、導電膜ＡＮＯ、端子等に用いることができる。
【０２４６】例えば、無機導電性材料、有機導電性材料、金属または導電性セラミックスなどを配線等に用いることができる。
【０２４７】具体的には、アルミニウム、金、白金、銀、銅、クロム、タンタル、チタン、モリブデン、タングステン、ニッケル、鉄、コバルト、パラジウムまたはマンガンから選ばれた金属元素などを、配線等に用いることができる。または、上述した金属元素を含む合金などを、配線等に用いることができる。特に、銅とマンガンの合金がウエットエッチング法を用いた微細加工に好適である。
【０２４８】具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を配線等に用いることができる。
【０２４９】具体的には、酸化インジウム、インジウム錫酸化物、インジウム亜鉛酸化物、酸化亜鉛、ガリウムを添加した酸化亜鉛などの導電性酸化物を、配線等に用いることができる。
【０２５０】具体的には、グラフェンまたはグラファイトを含む膜を配線等に用いることができる。
【０２５１】例えば、酸化グラフェンを含む膜を形成し、酸化グラフェンを含む膜を還元することにより、グラフェンを含む膜を形成することができる。還元する方法としては、熱を加える方法や還元剤を用いる方法等を挙げることができる。
【０２５２】例えば、金属ナノワイヤーを含む膜を配線等に用いることができる。具体的には、銀を含むナノワイヤーを用いることができる。
【０２５３】具体的には、導電性高分子を配線等に用いることができる。
【０２５４】なお、例えば、導電材料ＡＣＦ１を用いて、端子５１９Ｂ（ｊ）とフレキシブルプリント基板ＦＰＣ１を電気的に接続することができる（図５参照）。具体的には、端子とフレキシブルプリント基板ＦＰＣ１を導電材料ＣＰを用いて電気的に接続することができる。また、表示パネル７００（ｐ，ｑ）の端子５１９Ａ（ｊ）と、表示パネル７００（ｐ＋１，ｑ）の端子５１９Ｃ（ｊ）とを、導電材料ＣＰを用いて電気的に接続することができる。
【０２５５】《封止材７０５》
封止材７０５は、機能層５２０および基材７７０の間に挟まれる領域を備え、機能層５２０および基材７７０を貼り合わせる機能を備える。
【０２５６】無機材料、有機材料または無機材料と有機材料の複合材料等を封止材７０５に用いることができる。
【０２５７】例えば、熱溶融性の樹脂または硬化性の樹脂等の有機材料を、封止材７０５に用いることができる。
【０２５８】例えば、反応硬化型接着剤、光硬化型接着剤、熱硬化型接着剤または／および嫌気型接着剤等の有機材料を封止材７０５に用いることができる。
【０２５９】具体的には、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等を含む接着剤を封止材７０５に用いることができる。
【０２６０】《接合層５０５》
接合層５０５は、機能層５２０および基材５１０の間に挟まれる領域を備え、機能層５２０および基材５１０を貼り合せる機能を備える。
【０２６１】例えば、封止材７０５に用いることができる材料を接合層５０５に用いることができる。
【０２６２】《機能層７２０》
機能層７２０は、着色膜ＣＦ、絶縁膜７７１および遮光膜ＢＭを備える。
【０２６３】着色膜ＣＦは、基材７７０および表示素子５５０（ｉ，ｊ）の間に挟まれる領域を備える。
【０２６４】遮光膜ＢＭは、画素７０２（ｉ，ｊ）と重なる領域に開口部を備える。
【０２６５】《機能膜７７０Ｐ、機能膜７７０Ｄ等》
機能膜７７０Ｐは、表示素子５５０（ｉ，ｊ）と重なる領域を備える。
【０２６６】例えば、反射防止フィルム、偏光フィルム、位相差フィルム、光拡散フィルムまたは集光フィルム等を機能膜７７０Ｐに用いることができる。
【０２６７】具体的には、円偏光フィルムを機能膜７７０Ｐに用いることができる。
【０２６８】また、ゴミの付着を抑制する帯電防止膜、汚れを付着しにくくする撥水性の膜、反射防止膜（アンチ・リフレクション膜）、非光沢処理膜（アンチ・グレア膜）、使用に伴う傷の発生を抑制するハードコート膜などを、機能膜７７０Ｐに用いることができる。
【０２６９】なお、本実施の形態は、本明細書で示す他の実施の形態と適宜組み合わせることができる。
【０２７０】（実施の形態２）
本実施の形態では、本発明の一態様の表示装置の構成について、図１および図９を参照しながら説明する。
【０２７１】＜表示装置の構成例１．＞
本実施の形態で説明する表示装置は、一群の表示パネル７００（ｐ，１）乃至表示パネル７００（ｐ，ｔ）と、他の一群の表示パネル７００（１，ｑ）乃至表示パネル７００（ｓ，ｑ）と、を有する（図１（Ｂ）参照）。なお、ｓ行ｔ列の行列状に表示パネルを配置する構成の一例として、６行６列の行列状に表示パネルを配置する構成を図示して説明するが、本発明の一態様の表示装置は、この構成に限らない。
【０２７２】一群の表示パネル７００（ｐ，１）乃至表示パネル７００（ｐ，ｔ）は行方向に配設され、一群の表示パネル７００（ｐ，１）乃至表示パネル７００（ｐ，ｔ）は表示パネル７００（ｐ，ｑ）を含む。例えば、実施の形態１において説明する表示パネル７００を表示パネル７００（ｐ，ｑ）に用いることができる。
【０２７３】他の一群の表示パネル７００（１，ｑ）乃至表示パネル７００（ｓ，ｑ）は、行方向と交差する列方向に配設され、他の一群の表示パネル７００（１，ｑ）乃至表示パネル７００（ｓ，ｑ）は、表示パネル７００（ｐ，ｑ）および表示パネル７００（ｐ＋１，ｑ）を含む。
【０２７４】＜表示装置の構成例２．＞
また、本実施の形態で説明する他の表示装置の構成例は、表示パネル７００（ｐ，ｑ）および表示パネル７００（ｐ＋１，ｑ）を有する（図９参照）。なお、ｓ行ｔ列の行列状に表示パネルを配置する構成の一例として、２行１列の行列状に表示パネルを配置する構成を図示して説明するが、本発明の一態様の表示装置は、この構成に限らない。
【０２７５】表示パネル７００（ｐ，ｑ）および表示パネル７００（ｐ＋１，ｑ）は、列方向（図中に矢印Ｃ１で示す方向）に配設される。
【０２７６】《表示パネル７００（ｐ＋１，ｑ）の構成例１．》
表示パネル７００（ｐ＋１，ｑ）は、端子領域５２９Ｃおよび表示領域２３１Ｂを備える。例えば、実施の形態１において説明する表示パネル７００を表示パネル７００（ｐ＋１，ｑ）に用いることができる。
【０２７７】《端子領域５２９Ｃ》
端子領域５２９Ｃは表示領域２３１Ｂの外側に設けられ、端子領域５２９Ｃは端子領域５２９Ａと重なる領域を備える。
【０２７８】端子領域５２９Ｃは、一群の端子５１９Ｃ（１）乃至端子５１９Ｃ（ｎ）を備え、一群の端子５１９Ｃ（１）乃至端子５１９Ｃ（ｎ）は、端子５１９Ｃ（ｊ）を備える。
【０２７９】端子５１９Ｃ（ｊ）は、端子５２９（Ａ）と電気的に接続され、表示領域２３１Ｂは、表示領域２３１の表示を視認できる方向から、表示を視認できるように配置される。
【０２８０】これにより、一群の表示パネルを近づけて配置することができる。または、一群の表示パネルの表示領域が連続するように配置することができる。または、他の一群の表示パネルを近づけて配置することができる。または、他の一群の表示パネルの表示領域が連続するように配置することができる。
【０２８１】または、連続する画像を一群の表示パネルに表示することができる。または、連続する画像を他の一群の表示パネルに表示することができる。
【０２８２】または、一の表示パネルの第２の端子に供給され、他の表示パネルに表示する画像信号を、一の表示パネルの第１の端子から、他の表示パネルの第３の端子に供給することができる。その結果、利便性または信頼性に優れた新規な表示装置を提供することができる。
【０２８３】《表示パネル７００（ｐ＋１，ｑ）の構成例２．》
表示パネル７００（ｐ＋１，ｑ）は端子領域５２９Ｄを備える。
【０２８４】《端子領域５２９Ｄ》
端子領域５２９Ｄは、表示領域２３１Ｂを遮らないように配置され、端子領域５２９Ｄは、表示領域２３１Ｂと重なる領域を備える。例えば、端子領域５２９Ａの表示領域２３１に対する配置と同様に、端子領域５２９Ｄを表示領域２３１Ｂに対して配置することができる。換言すれば、端子領域５２９Ｄは、表示領域２３１Ｂの背面に配置される。
【０２８５】端子領域５２９Ｄは、一群の端子５１９Ｄ（１）乃至端子５１９Ｄ（ｎ）を備え、一群の端子５１９Ｄ（１）乃至端子５１９Ｄ（ｎ）は端子５１９Ｄ（ｊ）を含む。
【０２８６】《表示領域２３１Ｂ》
表示領域２３１Ｂは、画素７０２Ｂ（ｉ，ｊ）および信号線Ｓ１Ｂ（ｊ）を備える。
【０２８７】信号線Ｓ１Ｂ（ｊ）は、画素７０２Ｂ（ｉ，ｊ）、端子５１９Ｃ（ｊ）および端子５１９Ｄ（ｊ）と電気的に接続される。
【０２８８】これにより、例えば、第４の端子は、第３の端子から供給される信号を供給することができる。または、例えば、第３の端子から供給される信号を、第４の端子および他の画素に分配することができる。
【０２８９】または、表示品位を損なうことなく、第４の端子を配置することができる。または、第４の端子を使用者から隠すことができる。または、他の表示領域より外側の透光性が損われない。または、他の表示領域を他の物品に近づけることができる。または、他の表示領域を他の物品に並べることができる。その結果、利便性または信頼性に優れた新規な表示装置を提供することができる。
【０２９０】＜表示装置の構成例３．＞
本実施の形態で説明する表示装置は、制御部２３８を有する（図９参照）。
【０２９１】《制御部２３８》
制御部２３８は、画像情報Ｖ１および制御情報ＣＩを供給される。
【０２９２】制御部２３８は画像情報Ｖ１に基づいて情報Ｖ１１を生成し、制御情報ＣＩに基づいて制御信号ＳＰ１１を生成する。また、制御部２３８は、情報Ｖ１１および制御信号ＳＰ１１を供給する。
【０２９３】具体的には、制御部２３８は、制御回路２３３、伸張回路２３４および画像処理回路２３５を備える。
【０２９４】《制御回路２３３》
制御回路２３３は制御信号ＳＰ１１を生成し、供給する機能を備える。
【０２９５】制御回路２３３は制御信号ＳＰ１１を供給する機能を備える。例えば、クロック信号またはタイミング信号などを制御信号ＳＰ１１に用いることができる。具体的には、駆動回路ＧＤＡまたは駆動回路ＳＤ１の動作を開始するスタートパルスを制御信号ＳＰ１１に用いることができる。これにより、複数の駆動回路の動作を同期することができる。
【０２９６】例えば、タイミングコントローラを制御回路２３３に用いることができる。
【０２９７】なお、制御回路２３３を表示パネルに含めることもできる。例えば、リジッド基板に実装された制御回路２３３を表示パネルに用いることができる。リジッド基板に実装された制御回路２３３を、フレキシブルプリント基板を用いて駆動回路に、電気的に接続することができる。
【０２９８】具体的には、駆動回路ＧＤＡと電気的に接続することができる。また、駆動回路ＳＤ１と電気的に接続することができる。
【０２９９】《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０３００】《画像処理回路２３５》
画像処理回路２３５は、例えば、記憶領域を備える。記憶領域は、例えば、画像情報Ｖ１に含まれる情報を記憶する機能を備える。
【０３０１】画像処理回路２３５は、例えば、所定の特性曲線に基づいて画像情報Ｖ１を補正して情報Ｖ１１を生成する機能と、情報Ｖ１１を供給する機能を備える。
【０３０２】《駆動回路ＧＤＡの構成例２．》
駆動回路ＧＤＡは制御信号ＳＰ１１に基づいて、選択信号および制御信号ＳＰ１２を生成する。
【０３０３】駆動回路ＧＤＡは選択信号および制御信号ＳＰ１２を供給する。
【０３０４】《駆動回路ＳＤ１の構成例２．》
駆動回路ＳＤ１は情報Ｖ１１に基づいて、画像信号を供給する。
【０３０５】《端子領域５２９Ａ、端子領域５２９Ｃの構成例》
端子領域５２９Ａは端子５１９Ａ（０）を備える。端子５１９Ａ（０）は駆動回路ＧＤＡと電気的に接続され、制御信号ＳＰ１２を供給される。
【０３０６】端子領域５２９Ｃは、端子５１９Ｃ（０）を備える。端子５１９Ｃ（０）は、端子５１９Ａ（０）と電気的に接続される。
【０３０７】《表示パネル７００（ｐ＋１，ｑ）の構成例２．》
表示パネル７００（ｐ＋１，ｑ）は、駆動回路ＧＤＢおよび走査線Ｇ１Ｂ（ｊ）を備える。
【０３０８】《駆動回路ＧＤＢの構成例》
駆動回路ＧＤＢは端子５１９Ｃ（０）および走査線Ｇ１Ｂ（ｉ）と電気的に接続される。
【０３０９】駆動回路ＧＤＢは、制御信号ＳＰ１２に基づいて、他の選択信号を生成し、供給する。
【０３１０】《画素７０２Ｂ（ｉ，ｊ）の構成例》
画素７０２Ｂ（ｉ，ｊ）は、走査線Ｇ１Ｂ（ｉ）および他の信号線Ｓ１（ｊ）と電気的に接続される。
【０３１１】画素７０２Ｂ（ｉ，ｊ）は、情報Ｖ１１および他の選択信号を供給される。
【０３１２】これにより、第１の駆動回路乃至第３の駆動回路の動作を同期することができる。または、連続する画像を一群の表示パネルに同期して表示することができる。または、連続する画像を他の一群の表示パネルに同期して表示することができる。その結果、利便性または信頼性に優れた新規な表示装置を提供することができる。
【０３１３】なお、本実施の形態は、本明細書で示す他の実施の形態と適宜組み合わせることができる。
【０３１４】（実施の形態３）
本実施の形態では、本発明の一態様の入出力装置の構成について、図１１を参照しながら説明する。
【０３１５】図１１は本発明の一態様の入出力装置の構成を説明する図である。
【０３１６】＜入出力装置の構成例１．＞
本実施の形態で説明する入出力装置は、入力部２４０と、表示部２３０と、を有する（図１１参照）。
【０３１７】《表示部２３０》
例えば、実施の形態１または実施の形態２に記載の表示パネル７００（ｐ，ｑ）を表示部２３０に用いることができる。なお、入力部２４０および表示部２３０を有する構成を入出力パネル７００ＴＰということができる。
【０３１８】《入力部２４０》
入力部２４０は検知領域２４１を備える。入力部２４０は検知領域２４１に近接するものを検知する。
【０３１９】検知領域２４１は、画素７０２（ｉ，ｊ）と重なる領域を備える。
【０３２０】入力部２４０は発振回路ＯＳＣおよび検知回路ＤＣを備えることができる（図１１参照）。
【０３２１】《検知領域２４１》
検知領域２４１は、例えば、単数または複数の検知素子を備える。
【０３２２】検知領域２４１は、一群の検知素子７７５（ｇ，１）乃至検知素子７７５（ｇ，ｑ）と、他の一群の検知素子７７５（１，ｈ）乃至検知素子７７５（ｐ，ｈ）と、を有する。なお、ｇは１以上ｐ以下の整数であり、ｈは１以上ｑ以下の整数であり、ｐおよびｑは１以上の整数である。
【０３２３】一群の検知素子７７５（ｇ，１）乃至検知素子７７５（ｇ，ｑ）は、検知素子７７５（ｇ，ｈ）を含み、行方向（図中に矢印Ｒ２で示す方向）に配設される。なお、矢印Ｒ２で示す方向は、矢印Ｒ１で示す方向と同じであっても良いし、異なっていてもよい。
【０３２４】また、他の一群の検知素子７７５（１，ｈ）乃至検知素子７７５（ｐ，ｈ）は、検知素子７７５（ｇ，ｈ）を含み、行方向と交差する列方向（図中に矢印Ｃ２で示す方向）に配設される。
【０３２５】《検知素子》
検知素子は近接するポインタを検知する機能を備える。例えば、指やスタイラスペン等をポインタに用いることができる。例えば、金属片またはコイル等を、スタイラスペンに用いることができる。
【０３２６】具体的には、静電容量方式の近接センサ、電磁誘導方式の近接センサ、光学方式の近接センサ、抵抗膜方式の近接センサなどを、検知素子に用いることができる。
【０３２７】また、複数の方式の検知素子を併用することもできる。例えば、指を検知する検知素子と、スタイラスペンを検知する検知素子とを、併用することができる。
【０３２８】これにより、ポインタの種類を判別することができる。または、判別したポインタの種類に基づいて、異なる命令を検知情報に関連付けることができる。具体的には、ポインタに指を用いたと判別した場合は、検知情報をジェスチャーと関連付けることができる。または、ポインターにスタイラスペンを用いたと判別した場合は、検知情報を描画処理と関連付けることができる。
【０３２９】具体的には、静電容量方式または光学方式の近接センサを用いて、指を検知することができる。または、電磁誘導方式または光学方式の近接センサを用いて、スタイラスペンを検知することができる。
【０３３０】なお、本実施の形態は、本明細書で示す他の実施の形態と適宜組み合わせることができる。
【０３３１】（実施の形態４）
本実施の形態では、本発明の一態様の情報処理装置の構成について、図１２乃至図１５を参照しながら説明する。
【０３３２】図１２（Ａ）は本発明の一態様の情報処理装置の構成を説明するブロック図である。図１２（Ｂ）および図１２（Ｃ）は、情報処理装置の外観の一例を説明する投影図である。
【０３３３】図１３は、本発明の一態様のプログラムを説明するフローチャートである。図１３（Ａ）は、本発明の一態様のプログラムの主の処理を説明するフローチャートであり、図１３（Ｂ）は、割り込み処理を説明するフローチャートである。
【０３３４】図１４は、本発明の一態様のプログラムを説明する図である。図１４（Ａ）は、本発明の一態様のプログラムの割り込み処理を説明するフローチャートである。また、図１４（Ｂ）は、情報処理装置の操作を説明する模式図であり、図１４（Ｃ）は、本発明の一態様の情報処理装置の動作を説明するタイミングチャートである。
【０３３５】図１５は本発明の一態様の人工知能部を説明する図である。図１５（Ａ）は本発明の一態様の人工知能部を説明するブロック図である。図１５（Ｂ）は本発明の一態様のニューラルネットワークを説明するブロック図である。図１５（Ｃ）は本発明の一態様のニューロン回路を説明するブロック図である。
【０３３６】＜情報処理装置の構成例１．＞
本実施の形態で説明する情報処理装置は、演算装置２１０と、入出力装置２２０と、を有する（図１２（Ａ）参照）。なお、入出力装置は、演算装置２１０と電気的に接続される。また、情報処理装置２００は筐体を備えることができる（図１２（Ｂ）または図１２（Ｃ）参照）。
【０３３７】《演算装置２１０の構成例１．》
演算装置２１０は入力情報ＩＩまたは検知情報ＤＳを供給される。演算装置２１０は制御情報ＣＩおよび画像情報Ｖ１を供給する。
【０３３８】演算装置２１０は、演算部２１１および記憶部２１２を備える。また、演算装置２１０は、伝送路２１４および入出力インターフェース２１５を備える。
【０３３９】伝送路２１４は、演算部２１１、記憶部２１２、および入出力インターフェース２１５と電気的に接続される。
【０３４０】《演算部２１１》
演算部２１１は、例えばプログラムを実行する機能を備える。
【０３４１】《記憶部２１２》
記憶部２１２は、例えば演算部２１１が実行するプログラム、初期情報、設定情報または画像等を記憶する機能を有する。
【０３４２】具体的には、ハードディスク、フラッシュメモリまたは酸化物半導体を含むトランジスタを用いたメモリ等を用いることができる。
【０３４３】《入出力インターフェース２１５、伝送路２１４》
入出力インターフェース２１５は端子または配線を備え、情報を供給し、情報を供給される機能を備える。例えば、伝送路２１４と電気的に接続することができる。また、入出力装置２２０と電気的に接続することができる。
【０３４４】伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０３４５】《入出力装置２２０の構成例》
入出力装置２２０は、入力情報ＩＩおよび検知情報ＤＳを供給する。入出力装置２２０は、制御情報ＣＩおよび画像情報Ｖ１を供給される（図１２（Ａ）参照）。
【０３４６】例えば、キーボードのスキャンコード、位置情報、ボタンの操作情報、音声情報または画像情報等を入力情報ＩＩに用いることができる。または、例えば、情報処理装置２００が使用される環境等の照度情報、姿勢情報、加速度情報、方位情報、圧力情報、温度情報または湿度情報等を検知情報ＤＳに用いることができる。
【０３４７】例えば、画像情報Ｖ１を表示する輝度を制御する信号、彩度を制御する信号、色相を制御する信号を、制御情報ＣＩに用いることができる。または、画像情報Ｖ１の一部の表示を変化させる信号を、制御情報ＣＩに用いることができる。
【０３４８】入出力装置２２０は、表示部２３０、入力部２４０および検知部２５０を備える。例えば、実施の形態３において説明する入出力装置を用いることができる。
【０３４９】表示部２３０は制御情報ＣＩに基づいて、画像情報Ｖ１を表示する。
【０３５０】入力部２４０は入力情報ＩＩを生成する。
【０３５１】検知部２５０は検知情報ＤＳを生成する。
【０３５２】《表示部２３０》
表示部２３０は画像情報Ｖ１に基づいて画像を表示する機能を備える。表示部２３０は制御情報ＣＩに基づいて画像を表示する機能を備える。
【０３５３】表示部２３０は、制御部２３８と、駆動回路ＧＤと、駆動回路ＳＤと、表示パネル７００と、を有する（図９参照）。例えば、実施の形態２において説明する表示装置を表示部２３０に用いることができる。
【０３５４】《入力部２４０》
入力部２４０は、位置情報Ｐ１を供給する機能を備える。さまざまなヒューマンインターフェイス等を入力部２４０に用いることができる（図１２（Ａ）参照）。
【０３５５】例えば、キーボード、マウス、タッチセンサ、マイクまたはカメラ等を入力部２４０に用いることができる。なお、表示部２３０に重なる領域を備えるタッチセンサを用いることができる。表示部２３０と表示部２３０に重なる領域を備えるタッチセンサを備える入出力装置を、タッチパネルまたはタッチスクリーンということができる。
【０３５６】例えば、使用者は、タッチパネルに触れた指をポインタに用いて様々なジェスチャー（タップ、ドラッグ、スワイプまたはピンチイン等）をすることができる。
【０３５７】例えば、演算装置２１０は、タッチパネルに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０３５８】一例を挙げれば、使用者は、画像情報の表示位置を変更する「スクロール命令」を、タッチパネルに沿ってタッチパネルに接触する指を移動するジェスチャーを用いて供給できる。
【０３５９】《検知部２５０》
検知部２５０は検知情報ＤＳを供給する機能を備える。検知部２５０は、例えば、情報処理装置２００が使用される環境の照度を検出する機能を備え、照度情報を供給する機能を備える。
【０３６０】検知部２５０は、周囲の状態を検知して検知情報を供給する機能を備える。具体的には、照度情報、姿勢情報、加速度情報、方位情報、圧力情報、温度情報または湿度情報等を供給できる。
【０３６１】例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部２５０に用いることができる。
【０３６２】《通信部２９０》
通信部２９０は、ネットワークに情報を供給し、ネットワークから情報を取得する機能を備える。
【０３６３】《筐体》
なお、筐体は入出力装置２２０または演算装置２１０を収納する機能を備える。または、筐体は表示部２３０または演算装置２１０を支持する機能を備える。
【０３６４】これにより、情報処理装置は、情報処理装置が使用される環境において、情報処理装置の筐体が受ける光の強さを把握して動作することができる。または、情報処理装置の使用者は、表示方法を選択することができる。その結果、利便性または信頼性に優れた新規な情報処理装置を提供することができる。
【０３６５】なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０３６６】《演算装置２１０の構成例２．》
演算装置２１０は人工知能部２１３を備える（図１２（Ａ）参照）。
【０３６７】《人工知能部２１３の構成例１．》
人工知能部２１３は、入力情報ＩＩまたは検知情報ＤＳに基づいて、制御情報ＣＩを生成する（図１５（Ａ）参照）。
【０３６８】人工知能部２１３は半導体装置９０を備える。
【０３６９】［入力情報ＩＩに対する自然言語処理］
具体的には、人工知能部２１３は入力情報ＩＩを自然言語処理して、入力情報ＩＩ全体から１つの特徴を抽出することができる。例えば、人工知能部２１３は、入力情報ＩＩに込められた感情等を推論し特徴とすることができる。また、当該特徴に好適であると経験的に感じられる色彩、模様または書体等を推論することができる。また、人工知能部２１３は、文字の色、模様または書体を指定する情報、背景の色または模様を指定する情報を生成し、制御情報ＣＩに用いることができる。
【０３７０】具体的には、人工知能部２１３は入力情報ＩＩを自然言語処理して、入力情報ＩＩに含まれる一部の言葉を抽出することができる。例えば、人工知能部２１３は文法的な誤り、事実誤認または感情を含む表現等を抽出することができる。また、人工知能部２１３は、抽出した一部を他の一部とは異なる色彩、模様または書体等で表示する情報を生成し、制御情報ＣＩに用いることができる。
【０３７１】［入力情報ＩＩに対する画像処理］
具体的には、人工知能部２１３は入力情報ＩＩを画像処理して、入力情報ＩＩから１つの特徴を抽出することができる。例えば、人工知能部２１３は、入力情報ＩＩが撮影された年代、屋内または屋外、昼または夜等を推論し特徴とすることができる。また、当該特徴に好適であると経験的に感じられる色調を推論し、当該色調を表示に用いるための制御情報ＣＩを生成することができる。具体的には、濃淡の表現に用いる色（例えば、フルカラー、白黒または茶褐色等）を指定する情報を制御情報ＣＩに用いることができる。
【０３７２】具体的には、人工知能部２１３は入力情報ＩＩを画像処理して、入力情報ＩＩに含まれる一部の画像を抽出することができる。例えば、抽出した画像の一部と他の一部の間に境界を表示する制御情報ＣＩを生成することができる。具体的には、抽出した画像の一部を囲む矩形を表示する制御情報ＣＩを生成することができる。
【０３７３】［検知情報ＤＳを用いる推論］
具体的には、人工知能部２１３は検知情報ＤＳを情報ＩＮに用いて、推論ＲＩを生成することができる。または、推論ＲＩに基づいて、情報処理装置２００の使用者が快適であると感じられるように制御情報ＣＩを生成することができる。
【０３７４】具体的には、環境の照度等に基づいて、人工知能部２１３は、表示の明るさが快適であると感じられるように、表示の明るさを調整する制御情報ＣＩを生成することができる。または、人工知能部２１３は環境の騒音等に基づいて大きさが快適であると感じられるように、音量を調整する制御情報ＣＩを生成することができる。
【０３７５】なお、表示部２３０が備える制御部２３８に供給するクロック信号またはタイミング信号などを制御情報ＣＩに用いることができる。または、入力部２４０が備える制御部２４８に供給するクロック信号またはタイミング信号などを制御情報ＣＩに用いることができる。
【０３７６】《半導体装置９０》
半導体装置９０は入力情報ＩＩまたは検知情報ＤＳに基づいて、制御情報ＣＩを供給する。
【０３７７】半導体装置９０は情報ＩＮを供給され、推論ＲＩを供給する（図１５（Ａ）、図１５（Ｂ）参照）。例えば、入力情報ＩＩまたは検知情報ＤＳを情報ＩＮに用いることができる。または、例えば、推論ＲＩを制御情報ＣＩに用いることができる。
【０３７８】例えば、半導体装置９０は、入力情報ＩＩまたは検知情報ＤＳから、特徴を抽出することができる。半導体装置９０は、抽出した特徴に基づいて制御情報ＣＩを生成することができる。
【０３７９】例えば、半導体装置９０は、入力情報ＩＩまたは検知情報ＤＳから、一部を抽出することができる。半導体装置９０は、抽出した一部を他の一部とは異なるように表示する制御情報ＣＩを生成することができる。
【０３８０】これにより、好適であると感じられるように表示する制御情報を生成することができる。または、好適であると感じられるように表示することができる。または、快適であると感じられるように表示する制御情報を生成することができる。または、快適であると感じられるように表示することができる。その結果、利便性または信頼性に優れた新規な情報処理装置を提供することができる。
【０３８１】《半導体装置９０の構成例２．》
半導体装置９０はニューラルネットワーク８０を備える（図１５（Ａ）参照）。
【０３８２】《ニューラルネットワーク８０》
畳み込みニューラルネットワークをニューラルネットワーク８０に用いることができる。または、再帰型ニューラルネットワークをニューラルネットワーク８０に用いることができる。例えば、ニューラルネットワーク８０は、入力層８１、中間層８２および出力層８３を備える（図１５（Ｂ）参照）。
【０３８３】入力層８１は第１の一群のニューロン回路を備える。
【０３８４】中間層８２は第２の一群のニューロン回路を備える。
【０３８５】出力層８３は第３の一群のニューロン回路を備える。
【０３８６】第２の一群のニューロン回路は、第１のニューロン回路７１および第２のニューロン回路７２を含む。
【０３８７】第１のニューロン回路７１は、第１の一群のニューロン回路と電気的に接続される。
【０３８８】第２のニューロン回路７２は、第３の一群のニューロン回路と電気的に接続される。
【０３８９】第１の一群のニューロン回路は情報ＩＮを供給される。例えば、入力情報ＩＩまたは検知情報ＤＳを情報ＩＮに用いることができる。
【０３９０】第３の一群のニューロン回路は、推論ＲＩを供給する。例えば、推論ＲＩを制御情報ＣＩに用いることができる。
【０３９１】《ニューロン回路７１》
ニューロン回路７１は積和演算器１０および変換器３０を備える（図１５（Ｃ）参照）。
【０３９２】《積和演算器１０》
積和演算器１０は一群の入力信号Ｘ［１］乃至入力信号Ｘ［Ｎ］を供給される。積和演算器１０は一群の重み情報Ｗ［１］乃至重み情報Ｗ［Ｎ］を供給される。また、積和演算器１０はバイアス信号Ｂを供給される。
【０３９３】積和演算器１０は一群の入力信号Ｘ［１］乃至入力信号Ｘ［Ｎ］および重み情報Ｗ［１］乃至重み情報Ｗ［Ｎ］の積和値およびバイアス信号Ｂに基づいて積和信号Ｕを生成し、供給する。例えば、酸化物半導体を含むトランジスタを用いたメモリ等を、重み情報Ｗ［１］乃至重み情報Ｗ［Ｎ］を記憶するメモリに用いることができる。具体的には、インジウムを含む酸化物半導体またはインジウムとガリウムと亜鉛を含む酸化物半導体を含むトランジスタをメモリに用いることができる。また、例えば、アナログ演算回路を積和演算器１０に用いることができる。これにより、デジタル演算回路と比較して、回路規模を小さくすることができる。または、消費電力を低減することができる。
【０３９４】《変換器３０》
変換器３０は積和演算器１０と電気的に接続される。変換器３０は積和信号Ｕに基づいて出力信号ｆ（Ｕ）を生成し供給する。
【０３９５】＜情報処理装置の構成例３．＞
本発明の一態様の情報処理装置の別の構成について、図１３（Ａ）および図１３（Ｂ）を参照しながら説明する。
【０３９６】《プログラム》
本発明の一態様のプログラムは、下記のステップを有する（図１３（Ａ）参照）。
【０３９７】［第１のステップ］
第１のステップにおいて、設定を初期化する（図１３（Ａ）（Ｓ１）参照）。
【０３９８】例えば、起動時に表示する所定の画像情報と、当該画像情報を表示する所定のモードと、当該画像情報を表示する所定の表示方法を特定する情報と、を記憶部２１２から取得する。具体的には、一の静止画像情報または他の動画像情報を所定の画像情報に用いることができる。また、第１のモードまたは第２のモードを所定のモードに用いることができる。
【０３９９】［第２のステップ］
第２のステップにおいて、割り込み処理を許可する（図１３（Ａ）（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０４００】なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０４０１】［第３のステップ］
第３のステップにおいて、第１のステップまたは割り込み処理において選択された、所定のモードまたは所定の表示方法を用いて画像情報を表示する（図１３（Ａ）（Ｓ３）参照）。なお、所定のモードは情報を表示するモードを特定し、所定の表示方法は画像情報を表示する方法を特定する。また、例えば、画像情報Ｖ１を表示する情報に用いることができる。
【０４０２】例えば、画像情報Ｖ１を表示する一の方法を、第１のモードに関連付けることができる。または、画像情報Ｖ１を表示する他の方法を第２のモードに関連付けることができる。これにより、選択されたモードに基づいて表示方法を選択することができる。
【０４０３】《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０４０４】例えば、３０Ｈｚ以上、好ましくは６０Ｈｚ以上の頻度で選択信号を供給すると、動画像の動きを滑らかに表示することができる。
【０４０５】例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０４０６】《第２のモード》
具体的には、３０Ｈｚ未満、好ましくは１Ｈｚ未満、より好ましくは一分に一回未満の頻度で一の走査線に選択信号を供給し、選択信号に基づいて表示をする方法を、第２のモードに関連付けることができる。
【０４０７】３０Ｈｚ未満、好ましくは１Ｈｚ未満、より好ましくは一分に一回未満の頻度で選択信号を供給すると、フリッカーまたはちらつきが抑制された表示をすることができる。また、消費電力を低減することができる。
【０４０８】例えば、情報処理装置２００を時計に用いる場合、１秒に一回の頻度または１分に一回の頻度等で表示を更新することができる。
【０４０９】ところで、例えば、発光素子を表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０４１０】［第４のステップ］
第４のステップにおいて、終了命令が供給された場合は第５のステップに進み、終了命令が供給されなかった場合は第３のステップに進むように選択する（図１３（Ａ）（Ｓ４）参照）。
【０４１１】例えば、割り込み処理において供給された終了命令を判断に用いてもよい。
【０４１２】［第５のステップ］
第５のステップにおいて、終了する（図１３（Ａ）（Ｓ５）参照）。
【０４１３】《割り込み処理》
割り込み処理は以下の第６のステップ乃至第８のステップを備える（図１３（Ｂ）参照）。
【０４１４】［第６のステップ］
第６のステップにおいて、例えば、検知部２５０を用いて、情報処理装置２００が使用される環境の照度を検出する（図１３（Ｂ）（Ｓ６）参照）。なお、環境の照度に代えて環境光の色温度や色度を検出してもよい。
【０４１５】［第７のステップ］
第７のステップにおいて、検出した照度情報に基づいて表示方法を決定する（図１３（Ｂ）（Ｓ７）参照）。例えば、表示の明るさを暗すぎないように、または明るすぎないように決定する。
【０４１６】なお、第６のステップにおいて環境光の色温度や環境光の色度を検出した場合は、表示の色味を調節してもよい。
【０４１７】［第８のステップ］
第８のステップにおいて、割り込み処理を終了する（図１３（Ｂ）（Ｓ８）参照）。
【０４１８】＜情報処理装置の構成例３．＞
本発明の一態様の情報処理装置の別の構成について、図１４を参照しながら説明する。
【０４１９】図１４（Ａ）は、本発明の一態様のプログラムを説明するフローチャートである。図１４（Ａ）は、図１３（Ｂ）に示す割り込み処理とは異なる割り込み処理を説明するフローチャートである。
【０４２０】なお、情報処理装置の構成例３は、供給された所定のイベントに基づいて、モードを変更するステップを割り込み処理に有する点が、図１３（Ｂ）を参照しながら説明する割り込み処理とは異なる。ここでは、異なる部分について詳細に説明し、同様の構成を用いることができる部分について上記の説明を援用する。
【０４２１】《割り込み処理》
割り込み処理は以下の第６のステップ乃至第８のステップを備える（図１４（Ａ）参照）。
【０４２２】［第６のステップ］
第６のステップにおいて、所定のイベントが供給された場合は、第７のステップに進み、所定のイベントが供給されなかった場合は、第８のステップに進む（図１４（Ａ）（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０４２３】［第７のステップ］
第７のステップにおいて、モードを変更する（図１４（Ａ）（Ｕ７）参照）。具体的には、第１のモードを選択していた場合は、第２のモードを選択し、第２のモードを選択していた場合は、第１のモードを選択する。
【０４２４】例えば、表示部２３０の一部の領域について、表示モードを変更することができる。具体的には、駆動回路ＧＤＡ、駆動回路ＧＤＢおよび駆動回路ＧＤＣを備える表示部２３０の一の駆動回路が選択信号を供給する領域について、表示モードを変更することができる（図１４（Ｂ）参照）。
【０４２５】例えば、駆動回路ＧＤＢが選択信号を供給する領域と重なる領域にある入力部２４０に、所定のイベントが供給された場合に、駆動回路ＧＤＢが選択信号を供給する領域の表示モードを変更することができる（図１４（Ｂ）および図１４（Ｃ）参照）。具体的には、指等を用いてタッチパネルに供給する「タップ」イベントに応じて、駆動回路ＧＤＢが供給する選択信号の頻度を変更することができる。
【０４２６】なお、信号ＧＣＬＫは駆動回路ＧＤＢの動作を制御するクロック信号であり、信号ＰＷＣ１および信号ＰＷＣ２は駆動回路ＧＤＢの動作を制御するパルス幅制御信号である。駆動回路ＧＤＢは、信号ＧＣＬＫ、信号ＰＷＣ１および信号ＰＷＣ２等に基づいて、選択信号を走査線Ｇ２（ｍ＋１）乃至走査線Ｇ２（２ｍ）に供給する。
【０４２７】これにより、例えば、駆動回路ＧＤＡおよび駆動回路ＧＤＣが選択信号を供給することなく、駆動回路ＧＤＢが選択信号を供給することができる。または、駆動回路ＧＤＡおよび駆動回路ＧＤＣが選択信号を供給する領域の表示を変えることなく、駆動回路ＧＤＢが選択信号を供給する領域の表示を更新することができる。または、駆動回路が消費する電力を抑制することができる。
【０４２８】［第８のステップ］
第８のステップにおいて、割り込み処理を終了する（図１４（Ａ）（Ｕ８）参照）。なお、主の処理を実行している期間に割り込み処理を繰り返し実行してもよい。
【０４２９】《所定のイベント》
例えば、マウス等のポインティング装置を用いて供給する、「クリック」や「ドラッグ」等のイベント、指等をポインタに用いてタッチパネルに供給する、「タップ」、「ドラッグ」または「スワイプ」等のイベントを用いることができる。
【０４３０】また、例えば、ポインタが指し示すスライドバーの位置、スワイプの速度、ドラッグの速度等を用いて、所定のイベントに関連付けられた命令の引数を与えることができる。
【０４３１】例えば、検知部２５０が検知した情報をあらかじめ設定された閾値と比較して、比較結果をイベントに用いることができる。
【０４３２】具体的には、筐体に押し込むことができるように配設されたボタン等に接する感圧検知器等を検知部２５０に用いることができる。
【０４３３】《所定のイベントに関連付ける命令》
例えば、終了命令を、特定のイベントに関連付けることができる。
【０４３４】例えば、表示されている一の画像情報から他の画像情報に表示を切り替える「ページめくり命令」を、所定のイベントに関連付けることができる。なお、「ページめくり命令」を実行する際に用いるページをめくる速度などを決定する引数を、所定のイベントを用いて与えることができる。
【０４３５】例えば、一の画像情報の表示されている一部分の表示位置を移動して、一部分に連続する他の部分を表示する「スクロール命令」などを、所定のイベントに関連付けることができる。なお、「スクロール命令」を実行する際に用いる表示を移動する速度などを決定する引数を、所定のイベントを用いて与えることができる。
【０４３６】例えば、表示方法を設定する命令または画像情報を生成する命令などを、所定のイベントに関連付けることができる。なお、生成する画像の明るさを決定する引数を所定のイベントに関連付けることができる。また、生成する画像の明るさを決定する引数を、検知部２５０が検知する環境の明るさに基づいて決定してもよい。
【０４３７】例えば、プッシュ型のサービスを用いて配信される情報を、通信部２９０を用いて取得する命令などを、所定のイベントに関連付けることができる。
【０４３８】なお、情報を取得する資格の有無を、検知部２５０が検知する位置情報を用いて判断してもよい。具体的には、所定の教室、学校、会議室、企業、建物等の内部または領域にいる場合に、情報を取得する資格を有すると判断してもよい。これにより、例えば、学校または大学等の教室で配信される教材を受信して、情報処理装置２００を教科書等に用いることができる（図１２（Ｃ）参照）。または、企業等の会議室で配信される資料を受信して、会議資料に用いることができる。
【０４３９】なお、本実施の形態は、本明細書で示す他の実施の形態と適宜組み合わせることができる。
【０４４０】（実施の形態５）
本実施の形態では、本発明の一態様の情報処理装置の構成について、図１６および図１７を参照しながら説明する。
【０４４１】図１６および図１７は、本発明の一態様の情報処理装置の構成を説明する図である。図１６（Ａ）は情報処理装置のブロック図であり、図１６（Ｂ）乃至図１６（Ｃ）は情報処理装置の構成を説明する斜視図である。また、図１７は情報処理装置の構成を説明する斜視図である。
【０４４２】＜情報処理装置＞
本実施の形態で説明する情報処理装置５２００Ｂは、演算装置５２１０と、入出力装置５２２０とを、有する（図１６（Ａ）参照）。
【０４４３】演算装置５２１０は、操作情報を供給される機能を備え、操作情報に基づいて画像情報を供給する機能を備える。
【０４４４】入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０４４５】入力部５２４０は操作情報を供給する機能を備える。例えば、入力部５２４０は、情報処理装置５２００Ｂの使用者の操作に基づいて操作情報を供給する。
【０４４６】具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０４４７】表示部５２３０は表示パネルおよび画像情報を表示する機能を備える。例えば、実施の形態１において説明する表示パネルを表示部５２３０に用いることができる。
【０４４８】検知部５２５０は検知情報を供給する機能を備える。例えば、情報処理装置が使用されている周辺の環境を検知して、検知情報として供給する機能を備える。
【０４４９】具体的には、照度センサ、撮像装置、姿勢検出装置、圧力センサ、人感センサなどを検知部５２５０に用いることができる。
【０４５０】通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０４５１】《情報処理装置の構成例１．》
例えば、円筒状の柱などに沿った外形を表示部５２３０に適用することができる（図１６（Ｂ）参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０４５２】《情報処理装置の構成例２．》
例えば、使用者が使用するポインタの軌跡に基づいて画像情報を生成する機能を備える（図１６（Ｃ）参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０４５３】《情報処理装置の構成例３．》
例えば、使用環境の照度に応じて、表示方法を変更する機能を備える（図１７参照）。これにより、晴天の日に屋内に差し込む強い外光が当たっても好適に使用できるように、映像をテレビジョンシステムに表示することができる。
【０４５４】なお、本実施の形態は、本明細書で示す他の実施の形態と適宜組み合わせることができる。
【０４５５】例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【０４５６】ここで、Ｘ、Ｙは、対象物（例えば、装置、素子、回路、配線、電極、端子、導電膜、層、など）であるとする。
【０４５７】ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０４５８】ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０４５９】ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０４６０】なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０４６１】なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０４６２】例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０４６３】または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０４６４】なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０４６５】なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０４６６】ＡＣＦ１：導電材料、ＡＮＯ：導電膜、Ｂ：バイアス信号、Ｃ２１：容量素子、ＣＩ：制御情報、ＣＰ：導電材料、ＤＳ：検知情報、ｆ：出力信号、ＦＰＣ１：フレキシブルプリント基板、Ｇ１：走査線、Ｇ１Ｂ：走査線、Ｇ２：走査線、ＧＣＬＫ：信号、ＧＤ：駆動回路、ＧＤＡ：駆動回路、ＧＤＢ：駆動回路、ＧＤＣ：駆動回路、ＩＩ：入力情報、ＩＮ：情報、Ｐ１：位置情報、ＰＷＣ１：信号、ＰＷＣ２：信号、Ｓ１：信号線、Ｓ１Ｂ：信号線、ＳＤ：駆動回路、ＳＤ１：駆動回路、ＳＰ１１：制御信号、ＳＰ１２：制御信号、ＳＷ２：スイッチ、Ｕ：積和信号、Ｖ１：画像情報、Ｖ１１：情報、Ｗ：重み情報、Ｘ：入力信号、３０：変換器、７１：ニューロン回路、７２：ニューロン回路、８０：ニューラルネットワーク、８１：入力層、８２：中間層、８３：出力層、９０：半導体装置、２００：情報処理装置、２１０：演算装置、２１１：演算部、２１２：記憶部、２１３：人工知能部、２１４：伝送路、２１５：入出力インターフェース、２２０：入出力装置、２３０：表示部、２３１：表示領域、２３１Ｂ：表示領域、２３３：制御回路、２３４：伸張回路、２３５：画像処理回路、２３８：制御部、２４０：入力部、２４１：検知領域、２４８：制御部、２５０：検知部、２９０：通信部、４００：分子量、５０１Ａ：絶縁膜、５０１Ｃ：絶縁膜、５０１Ｄ：絶縁膜、５０４：導電膜、５０５：接合層、５０６：絶縁膜、５０８：半導体膜、５０８Ａ：領域、５０８Ｂ：領域、５０８Ｃ：領域、５１０：基材、５１２Ａ：導電膜、５１２Ｂ：導電膜、５１６：絶縁膜、５１６Ａ：絶縁膜、５１６Ｂ：絶縁膜、５１８：絶縁膜、５１９Ａ：端子、５１９Ｂ：端子、５１９Ｃ：端子、５１９Ｄ：端子、５２０：機能層、５２１：絶縁膜、５２４：導電膜、５２８：絶縁膜、５２９：端子、５２９Ａ：端子領域、５２９Ｂ：端子領域、５２９Ｃ：端子領域、５２９Ｄ：端子領域、５３０：画素回路、５５０：表示素子、５５１：電極、５５２：電極、５５３：発光性の材料を含む層、５９１Ａ：開口部、７００：表示パネル、７００ＴＰ：入出力パネル、７０２：画素、７０２Ｂ：画素、７０３：画素、７０５：封止材、７２０：機能層、７７０：基材、７７０Ｄ：機能膜、７７０Ｐ：機能膜、７７１：絶縁膜、７７５：検知素子、５２００Ｂ：情報処理装置、５２１０：演算装置、５２２０：入出力装置、５２３０：表示部、５２４０：入力部、５２５０：検知部、５２９０：通信部、
【図１】
2019021147.tif 000003
【図２】
2019021147.tif 000004
【図３】
2019021147.tif 000005
【図４】
2019021147.tif 000006
【図５】
2019021147.tif 000007
【図６】
2019021147.tif 000008
【図７】
2019021147.tif 000009
【図８】
2019021147.tif 000010
【図９】
2019021147.tif 000011
【図１０】
2019021147.tif 000012
【図１１】
2019021147.tif 000013
【図１２】
2019021147.tif 000014
【図１３】
2019021147.tif 000015
【図１４】
2019021147.tif 000016
【図１５】
2019021147.tif 000017
【図１６】
2019021147.tif 000018
【図１７】
2019021147.tif 000019
【国際調査報告】
2019021147.tif 000020
2019021147.tif 000021
2019021147.tif 000022
2019021147.tif 000023